(57)【要約】  セルラー方式−ＷＬＡＮ統合能力（ＣＷＩＣ）を提供する。ＣＷＩＣは、無線アクセス・ネットワークとエンド・ユーザ・デバイス（ＵＥ）との両方において、セルラー方式インターフェースとワイファイ・インターフェースとの協調によりダウンリンク・ベアラ・トラフィック（ＤＢＴ）とアップリンク・ベアラ・トラフィック（ＵＢＴ）とのより効率的なルーティングをサポートするセルラー方式ネットワーク（ＣＮ）とＷＬＡＮネットワーク（ＷＮ）との統合を提供する。ＣＷＩＣは、ＵＥに対するダウンリンク・ベアラ送信がＣＮとＷＮとの間で選択的に配信され、ＵＥからのアップリンク・ベアラ送信が、ＣＮとＷＮとの間で選択的に配信されるＣＮとＷＮとの統合を提供する。ＣＷＩＣは、ＵＢＴの為の信頼できる効率的な経路を提供しながらＤＢＴの為の容量を増大させるＣＮとＷＮとの統合を提供する。
2016541156.tif 000002
【特許請求の範囲】
【請求項１】
セルラー方式リンクを経由した通信のために構成されたインターフェースと、
競合ベースのワイヤレス・リンクを経由した通信のために構成されたインターフェースと、
プロセッサと、
を備え、前記プロセッサは、
前記セルラー方式リンクを経由した通信のために構成された前記インターフェース、または前記競合ベースのワイヤレス・リンクを経由した通信のために構成された前記インターフェースのうちの少なくとも一方を経由してダウンリンク・ベアラ・トラフィックを受信し、
前記セルラー方式リンクを経由した通信のために構成された前記インターフェースと、前記競合ベースのワイヤレス・リンクを経由した通信のために構成された前記インターフェースとの間でアップリンク・ベアラ・トラフィックを選択的に配信する
ように構成されている、ユーザ・デバイス。
【請求項２】
前記プロセッサは、
前記セルラー方式リンクを経由した通信のために構成された前記インターフェースと、前記競合ベースのワイヤレス・リンクを経由した通信のために構成された前記インターフェースとを経由して受信されるダウンリンク・ベアラ・トラフィックを結合する
ように構成されている、請求項１に記載のユーザ・デバイス。
【請求項３】
前記プロセッサは、
ＷＬＡＮアクセス・ポイントに関連するステータス情報、
セルラー方式ネットワーク・アクセス・ポイントに関連するステータス情報、
前記ユーザ・デバイスにおけるアップリンク・ベアラ・トラフィックの強度、または
前記ユーザ・デバイスによる要求、およびセルラー方式ネットワーク・アクセス・ポイントが関連づけられる無線アクセス・ネットワークによる関連する認可、
のうちの少なくとも１つに基づいて、アップリンク・ベアラ・トラフィックを選択的に配信するように構成されている、請求項１に記載のユーザ・デバイス。
【請求項４】
前記プロセッサは、
前記セルラー方式リンクを経由した通信のために構成された前記インターフェースに対して前記アップリンク・ベアラ・トラフィックの第１の部分を配信し、
前記競合ベースのワイヤレス・リンクを経由した通信のために構成された前記インターフェースに対して前記アップリンク・ベアラ・トラフィックの第２の部分を配信する
ように構成されている、請求項１に記載のユーザ・デバイス。
【請求項５】
前記プロセッサは、
前記セルラー方式リンクを経由した通信のために構成された前記インターフェースに対して前記アップリンク・ベアラ・トラフィックのすべてを配信する
ように構成されている、請求項１に記載のユーザ・デバイス。
【請求項６】
前記プロセッサは、
前記セルラー方式リンクを経由した通信のために構成された前記インターフェースを経由して受信されるダウンリンク・ベアラ・トラフィックと、前記競合ベースのワイヤレス・リンクを経由した通信のために構成された前記インターフェースを経由して受信されるダウンリンク・ベアラ・トラフィックとに対応する無線リンク制御（ＲＬＣ）レイヤ肯定応答トラフィックを、前記セルラー方式リンクを経由した通信のために構成された前記インターフェースだけを経由して送信する
ように構成されている、請求項１に記載のユーザ・デバイス。
【請求項７】
前記プロセッサは、
前記セルラー方式リンクを経由した通信のために構成された前記インターフェースを経由して受信されるダウンリンク・トラフィックに対応する媒体アクセス制御（ＭＡＣ）レイヤ肯定応答トラフィックを、前記セルラー方式リンクを経由した通信のために構成された前記インターフェースだけを経由して送信する
ように構成されている、請求項１に記載のユーザ・デバイス。
【請求項８】
前記プロセッサは、
前記競合ベースのワイヤレス・リンクを経由した通信のために構成された前記インターフェースを経由して受信されるダウンリンク・トラフィックに対応するＭＡＣレイヤ肯定応答トラフィックを、前記競合ベースのワイヤレス・リンクを経由した通信のために構成された前記インターフェースだけを経由して送信する
ように構成されている、請求項１に記載のユーザ・デバイス。
【請求項９】
セルラー方式リンクを経由したセルラー方式通信のために構成されたインターフェースと、
ワイヤレス・ローカル・エリア・ネットワーク（ＷＬＡＮ）アクセス・ポイント（ＷＡＰ）との通信のために構成されたインターフェースと、
プロセッサと、
を備え、前記プロセッサは、
エンド・ユーザ・デバイスに対する配信を対象としたダウンリンク・ベアラ・トラフィックを受信し、前記セルラー方式リンクを経由したセルラー方式通信のために構成された前記インターフェースと、前記ＷＡＰとの通信のために構成された前記インターフェースとの間の前記ダウンリンク・ベアラ・トラフィックを選択的に配信し、
前記セルラー方式リンクを経由したセルラー方式通信のために構成された前記インターフェースと、前記ＷＡＰとの通信のために構成された前記インターフェースとのうちの少なくとも一方を経由して前記エンド・ユーザ・デバイスからアップリンク・ベアラ・トラフィックを受信する
ように構成されている、セルラー方式ネットワーク・アクセス・ポイント。
【請求項１０】
セルラー方式ネットワーク・アクセス・ポイントとの通信のために構成されたインターフェースと、
競合ベースのワイヤレス・リンクを経由した、エンド・ユーザ・デバイスとのワイヤレス通信のために構成されたインターフェースと、
プロセッサと、
を備え、前記プロセッサは、
前記セルラー方式ネットワーク・アクセス・ポイントとの通信のために構成された前記インターフェースを経由して前記セルラー方式ネットワーク・アクセス・ポイントから、前記エンド・ユーザ・デバイスのうちの１つまたは複数を対象としたダウンリンク・ベアラ・トラフィックを受信し、
前記競合ベースのワイヤレス・リンクを経由したエンド・ユーザ・デバイスとのワイヤレス通信のために構成された前記インターフェースを経由して、前記１つまたは複数のエンド・ユーザ・デバイスに向かって前記ダウンリンク・ベアラ・トラフィックを送信する
ように構成されている、ワイヤレス・ローカル・エリア・ネットワーク（ＷＬＡＮ）アクセス・ポイント（ＷＡＰ）。
【発明の詳細な説明】
【技術分野】
【０００１】
本開示は、一般に、通信ネットワークに関し、より詳細には、それだけには限定されないが、セルラー方式ネットワークと、ワイヤレス・ローカル・エリア・ネットワーク（ＷＬＡＮ：ｗｉｒｅｌｅｓｓ  ｌｏｃａｌ  ａｒｅａ  ｎｅｔｗｏｒｋ）との統合に関する。
【背景技術】
【０００２】
一般に、免許スペクトル（例えば、ロング・ターム・エボリューション（ＬＴＥ：Ｌｏｎｇ  Ｔｅｒｍ  Ｅｖｏｌｕｔｉｏｎ）システム）を使用したセルラー方式システムと、無免許スペクトル帯域（例えば、ワイヤレス・フィデリティ（ワイファイ（ＷｉＦｉ：Ｗｉｒｅｌｅｓｓ  Ｆｉｄｅｌｉｔｙ））アクセスまたは他のローカル・アクセス）を使用したワイヤレス・ローカル・エリア・ネットワーク（ＷＬＡＮ）とは、補完的なやり方でワイヤレス・サービスを提供するために使用される。セルラー方式システムは、一般に、屋外の、また何らかの建物内に到達するマクロ・セルラー方式カバレッジを提供するのに対して、ワイヤレス・エリア・ネットワークは、一般に、企業、居住地、公共会合場所などにサービスする。さらに、セルラー方式システムのカバレッジ・エリアと、ＷＬＡＮのカバレッジ・エリアとの間のオーバーラップは、時間と共に増大することが期待される。例えば、ＬＴＥネットワークなど、少なくともいくつかのセルラー方式ネットワークは、ＬＴＥピコ・セルの追加と共にさらに進化しており、これらのＬＴＥピコ・セルは、ユビキタスな屋外のカバレッジと、屋内のカバレッジとを提供する試みの中で展開されている。さらに、例えば、２．４ＧＨｚおよび５ＧＨｚにおいて割り付けられる大量の無免許スペクトルを利用するために、ＬＴＥピコ・セルは、ＬＴＥピコ・セルの内部のワイファイ・アクセス・ポイントの埋め込みを経由して容量が増大されていることもある。これは、さらに、セルラー方式システムのカバレッジ・エリアと、ＷＬＡＮのカバレッジ・エリアとの間のオーバーラップを拡大させるであろう。
【先行技術文献】
【非特許文献】
【０００３】
【非特許文献１】３ＧＰＰ  ＴＲ３７．８３４のセクション６．１．３．１−２
【非特許文献２】３ＧＰＰ  ＴＲ３７．８３４のセクション６．１．３．１−３
【非特許文献３】３ＧＰＰ  ＴＲ３７．８３４のセクション６．１．３．１−１
【発明の概要】
【発明が解決しようとする課題】
【０００４】
先行技術における様々な欠陥は、セルラー方式ネットワークと、ワイヤレス・ローカル・エリア・ネットワーク（ＷＬＡＮ）との統合のための実施形態によって対処される。
【課題を解決するための手段】
【０００５】
少なくともいくつかの実施形態においては、ユーザ・デバイスは、セルラー方式リンクを経由した通信のために構成されたインターフェースと、競合ベースのワイヤレス・リンクを経由した通信のために構成されたインターフェースと、プロセッサとを含む。プロセッサは、セルラー方式リンクを経由した通信のために構成されたインターフェース、または競合ベースのワイヤレス・リンクを経由した通信のために構成されたインターフェースのうちの少なくとも一方を経由してダウンリンク・ベアラ・トラフィック（ｄｏｗｎｌｉｎｋ  ｂｅａｒｅｒ  ｔｒａｆｆｉｃ）を受信するように構成されている。プロセッサはまた、セルラー方式リンクを経由した通信のために構成されたインターフェースと、競合ベースのワイヤレス・リンクを経由した通信のために構成されたインターフェースとの間で、アップリンク・ベアラ・トラフィック（ｕｐｌｉｎｋ  ｂｅａｒｅｒ  ｔｒａｆｆｉｃ）を選択的に配信するように構成されている。
【０００６】
少なくともいくつかの実施形態においては、セルラー方式ネットワーク・アクセス・ポイントは、セルラー方式リンクを経由したセルラー方式通信のために構成されたインターフェースと、ワイヤレス・ローカル・エリア・ネットワーク（ＷＬＡＮ）アクセス・ポイント（ＷＡＰ：ＷＬＡＮ  ａｃｃｅｓｓ  ｐｏｉｎｔ）との通信のために構成されたインターフェースと、プロセッサとを含む。プロセッサは、エンド・ユーザ・デバイスに対する配信を対象としたダウンリンク・ベアラ・トラフィックを受信し、セルラー方式リンクを経由したセルラー方式通信のために構成されたインターフェースと、ＷＡＰとの通信のために構成されたインターフェースとの間でダウンリンク・ベアラ・トラフィックを選択的に配信するように構成されている。プロセッサはまた、セルラー方式リンクを経由したセルラー方式通信のために構成されたインターフェースと、ＷＡＰとの通信のために構成されたインターフェースとのうちの少なくとも一方を経由してエンド・ユーザ・デバイスからアップリンク・ベアラ・トラフィックを受信するように構成されている。
【０００７】
少なくともいくつかの実施形態においては、ワイヤレス・ローカル・エリア・ネットワーク（ＷＬＡＮ）アクセス・ポイント（ＷＡＰ）は、セルラー方式ネットワーク・アクセス・ポイントとの通信のために構成されたインターフェースと、競合ベースのワイヤレス・リンクを経由した、エンド・ユーザ・デバイスとのワイヤレス通信のために構成されたインターフェースと、プロセッサとを含む。プロセッサは、セルラー方式ネットワーク・アクセス・ポイントとの通信のために構成されたインターフェースを経由して、セルラー方式ネットワーク・アクセス・ポイントから、１つまたは複数のエンド・ユーザ・デバイスを対象としたダウンリンク・ベアラ・トラフィックを受信し、競合ベースのワイヤレス・リンクを経由した、エンド・ユーザ・デバイスとのワイヤレス通信のために構成されたインターフェースを経由して、１つまたは複数のエンド・ユーザ・デバイスに向かってダウンリンク・ベアラ・トラフィックを送信するように構成されている。
【０００８】
本明細書における教示は、添付の図面と併せて詳細な説明を考慮することにより、簡単に理解できる。
【図面の簡単な説明】
【０００９】
【図１】セルラー方式ネットワークと、ワイヤレス・ローカル・エリア・ネットワークとの統合を例証する例示の通信システムを示す図である。
【図２Ａ】セルラー方式ネットワークを経由したアップリンク・ベアラ・トラフィックのルーティングに起因した、ワイヤレス・ローカル・エリア・ネットワークを経由して達成される増大されたダウンリンク・スループットを例証する送信を示す図である。
【図２Ｂ】セルラー方式ネットワークを経由したアップリンク・ベアラ・トラフィックのルーティングに起因した、ワイヤレス・ローカル・エリア・ネットワークを経由して達成される増大されたダウンリンク・スループットを例証する送信を示す図である。
【図３】図１の通信システムの内部の、ダウンリンク送信のための例示のプロトコル・スタックを示す図である。
【図４】ユーザ機器（ＵＥ：Ｕｓｅｒ  Ｅｑｕｉｐｍｅｎｔ）とトラフィックを交換するための、セルラー方式ネットワークのｅノードＢ（ｅＮｏｄｅＢ）による使用のための方法の一実施形態を示す図である。
【図５】ＵＥのための通信をサポートするための、ワイファイ・アクセス・ポイント（ＷＡＰ）による使用のための方法の一実施形態を示す図である。
【図６】セルラー方式ネットワークのｅノードＢとトラフィックを交換するための、ＵＥによる使用のための方法の一実施形態を示す図である。
【図７】本明細書において提示される機能を実行する際に使用のために適しているコンピュータのハイレベル・ブロック図である。
【発明を実施するための形態】
【００１０】
理解を容易にするために、同一の参照数字が、可能な場合には、使用されて、図面に共通な同一の要素を示している。
【００１１】
セルラー方式−ＷＬＡＮ統合能力が、本明細書において提示される。セルラー方式−ＷＬＡＮ統合能力は、無線アクセス・ネットワークと、エンド・ユーザ・デバイスとの両方において、セルラー方式インターフェースと、ワイファイ・インターフェースとの協調により、ダウンリンク・ベアラ・トラフィックと、アップリンク・ベアラ・トラフィックとのより効率的なルーティングをサポートする、セルラー方式ネットワークと、ＷＬＡＮネットワークとの統合を提供している。セルラー方式−ＷＬＡＮ統合能力は、エンド・ユーザ・デバイスに対するダウンリンク・ベアラ送信が、セルラー方式ネットワークと、ＷＬＡＮネットワークとの間で選択的に配信されることもあり、また同様に、エンド・ユーザ・デバイスからのアップリンク・ベアラ送信が、セルラー方式ネットワークと、ＷＬＡＮネットワークとの間で選択的に配信されることもある、セルラー方式ネットワークと、ＷＬＡＮネットワークとの統合を提供している。セルラー方式−ＷＬＡＮ統合能力は、アップリンク・ベアラ・トラフィックのための信頼できる、また効率的な経路を提供しながら、ダウンリンク・ベアラ・トラフィックのための容量を増大させる（また、少なくともいくつかの場合には、最大にする）傾向がある、セルラー方式ネットワークと、ワイファイ・ネットワークとの統合を提供している。少なくともいくつかの実施形態においては、セルラー方式−ＷＬＡＮ統合能力は、ＷＬＡＮネットワークの上のアクティブなユーザの典型的な数について、ＷＬＡＮネットワークのダウンリンク容量を２倍以上に増大させることができる。それゆえに、セルラー方式−ＷＬＡＮ統合能力の様々な実施形態は、エンド・ユーザのための増大されたスループットと、エンド・ユーザのための改善されたユーザ体感品質などとを提供している。セルラー方式−ＷＬＡＮ統合能力のこれらおよび様々な他の実施形態と利点とは、図１の例示の通信システムに対する参照を通して、よりよく理解され得る。
【００１２】
図１は、セルラー方式ネットワークと、ワイヤレス・ローカル・エリア・ネットワークとの統合を例証する例示の通信システムを示すものである。
【００１３】
通信システム１００は、ロング・ターム・エボリューション（ＬＴＥ）ネットワーク１１０と、ワイファイ・アクセス・ポイント（ＷＡＰ）１２０と、ユーザ機器（ＵＥ）１３０とを含む。
【００１４】
ＬＴＥネットワーク１１０は、ｅノードＢ１１１を含んでいる。ｅノードＢ１１１のエア・インターフェースを含むＬＴＥネットワーク１１０は、進化型ＵＭＴＳ地上波無線アクセス（ＥＵＴＲＡ：ｅｖｏｌｖｅｄ  ＵＭＴＳ  Ｔｅｒｒｅｓｔｒｉａｌ  Ｒａｄｉｏ  Ａｃｃｅｓｓ）無線アクセス・ネットワーク規格をサポートする。ＬＴＥネットワーク１１０が、無線アクセス・ネットワーク（ＲＡＮ：Ｒａｄｉｏ  Ａｃｃｅｓｓ  Ｎｅｔｗｏｒｋ）部分（ｅノードＢ１１１は、この無線アクセス・ネットワーク部分の一部分である）と、コア・ネットワーク（ＣＮ：Ｃｏｒｅ  Ｎｅｔｗｏｒｋ）部分とを含むことができることが、理解されるであろう。ＬＴＥネットワーク１１０は、説明をより明確にする目的のために省略されている様々な他の要素（例えば、サービング・ゲートウェイ（ＳＧＷ：Ｓｅｒｖｉｎｇ  Ｇａｔｅｗａｙｓ）、パケット・データ・ネットワーク（ＰＤＮ：Ｐａｃｋｅｔ  Ｄａｔａ  Ｎｅｔｗｏｒｋ）ゲートウェイ（ＰＧＷ：ＰＤＮ  Ｇａｔｅｗａｙ）、モビリティ管理エンティティ（ＭＭＥ：Ｍｏｂｉｌｉｔｙ  Ｍａｎａｇｅｍｅｎｔ  Ｅｎｔｉｔｉｅｓ）など）を含むことができる。ＬＴＥネットワークの典型的な構成とオペレーションとは、当業者によって理解されるであろう。
【００１５】
ｅノードＢ１１１は、セルラー方式−ＷＬＡＮ統合能力の１つまたは複数の実施形態をサポートするように構成されている。ｅノードＢ１１１は、プロセッサ１１２と、メモリ１１３と、データ・インターフェース１１６と、ＥＵＴＲＡインターフェース１１７とを含む。プロセッサ１１２は、メモリ１１３と、データ・インターフェース１１６と、ＥＵＴＲＡインターフェース１１７とのうちのそれぞれに通信するように接続される。メモリ１１３は、本明細書において考察されるセルラー方式−ＷＬＡＮ統合能力の様々な機能を提供するように、プロセッサ１１２によって実行され得るプログラム１１４を記憶する。メモリ１１３はまた、本明細書において考察されるセルラー方式−ＷＬＡＮ統合能力の様々な機能についての実行の結果として提供するために使用され、または生成され得るデータ１１５を記憶する。図１に示されるｅノードＢ１１１の実装形態は、単に例示的なものにすぎないこと、およびｅノードＢ１１１は、セルラー方式−ＷＬＡＮ統合能力の機能を提供するために適した任意の他のやり方で実施され得ることが、理解されるであろう。
【００１６】
ＷＡＰ１２０は、セルラー方式−ＷＬＡＮ統合能力の様々な実施形態をサポートするように構成されている。ＷＡＰ１２０は、プロセッサ１１２と、メモリ１２３と、データ・インターフェース１２６と、ワイファイ・インターフェース１２８とを含む。プロセッサ１２２は、メモリ１２３と、データ・インターフェース１２６と、ワイファイ・インターフェース１２８とのうちのそれぞれに通信するように接続される。メモリ１２３は、本明細書において考察されるセルラー方式−ＷＬＡＮ統合能力の様々な機能を提供するように、プロセッサ１２２によって実行され得るプログラム１２４を記憶する。メモリ１２３はまた、本明細書において考察されるセルラー方式−ＷＬＡＮ統合能力の様々な機能についての実行の結果として、提供するために使用され、または生成され得るデータ１２５を記憶する。図１に示されるＷＡＰ１２０の実装形態は、単に例示的なものにすぎないこと、およびＷＡＰ１２０は、セルラー方式−ＷＬＡＮ統合能力の機能を提供するために適した任意の他のやり方で実施され得ることが、理解されるであろう。
【００１７】
ＵＥ１３０は、ＥＵＴＲＡベースの通信と、ワイファイ・ベースの通信とをサポートするように構成されたユーザ・デバイスである。例えば、ＵＥ１３０は、スマートフォン、タブレット・コンピュータ、またはラップトップなどとすることができる。ＵＥ１３０は、セルラー方式−ＷＬＡＮ統合能力の様々な実施形態をサポートするように構成されている。ＵＥ１３０は、プロセッサ１３２と、メモリ１３３と、ＥＵＴＲＡインターフェース１３７と、ワイファイ・インターフェース１３８とを含む。プロセッサ１３２は、メモリ１３３と、ＥＵＴＲＡインターフェース１３７と、ワイファイ・インターフェース１３８とのうちのそれぞれに通信するように接続される。メモリ１３３は、本明細書において考察されるセルラー方式−ＷＬＡＮ統合能力の様々な機能を提供するように、プロセッサ１３２によって実行され得るプログラム１３４を記憶する。メモリ１３３はまた、本明細書において考察されるセルラー方式−ＷＬＡＮ統合能力の様々な機能についての実行の結果として、提供するために使用され、または生成され得るデータ１３５を記憶する。図１に示されるＵＥ１３０の実装形態は、単に例示的なものにすぎないこと、およびＵＥ１３０は、セルラー方式−ＷＬＡＮ統合能力の機能を提供するために適した任意の他のやり方で実施され得ることが、理解されるであろう。
【００１８】
ｅノードＢ１１１と、ＷＡＰ１２０と、ＵＥ１３０とは、様々な通信リンクを経由して通信する。
【００１９】
ｅノードＢ１１１と、ＵＥ１３０とは、ｅノードＢ１１１のＥＵＴＲＡインターフェース１１７と、ＵＥ１３０のＥＵＴＲＡインターフェース１３７との間のＥＵＴＲＡリンク１４７を経由して通信するように構成されている。ＥＵＴＲＡリンク１４７は、ダウンリンク方向と、アップリンク方向とにおいて、それぞれ、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）と、単一キャリア周波数分割多元接続（ＳＣＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）とを使用した広帯域無線周波数実装形態とすることができる。ＬＴＥシステムと、それゆえに、ＥＵＴＲＡリンク１４７とは、周波数分割二重化または時分割二重化のいずれかに基づいていることが、理解されるであろう。ＬＴＥシステムと、それゆえに、ＥＵＴＲＡリンク１４７とは、ＥＵＴＲＡリンク１４７が、スケジュールされた競合解消のリンクである（すなわち、ＥＵＴＲＡリンク１４７を経由したＵＥ１３０のためのすべてのダウンリンク・ユーザ・プレーン送信と、アップリンク・ユーザ・プレーン送信とが、ｅノードＢ１１１によってスケジュールされる）ことが理解されることになるように、ユーザ・データのためのスケジュールされたアクセスに基づいていることが、さらに理解されるであろう。ｅノードＢ１１１は、ＥＵＴＲＡエア・インターフェースを経由して通信するためにｅノードＢによる使用のための既存のプロシージャを使用して、ＥＵＴＲＡリンク１４７を経由して通信するように構成されていることもある。同様に、ＵＥ１３０は、ＥＵＴＲＡエア・インターフェースを経由して通信する際にＵＥによる使用のための既存のプロシージャを使用して、ＥＵＴＲＡリンク１４７を経由して通信するように構成されていることもある。ＥＵＴＲＡリンク１４７は、ｅノードＢ１１１からＵＥ１３０に向かうダウンストリーム送信のための順方向リンク部分と、ＵＥ１３０からｅノードＢ１１１に向かうアップストリーム送信のための逆方向リンク部分とを含むことができ、この順方向リンク部分と逆方向リンク部分とのうちのそれぞれは、それに割り付けられたそれぞれのリソースを有することが、理解されるであろう。セルラー方式−ＷＬＡＮ統合能力の実施形態をサポートするための、ＥＵＴＲＡリンク１４７の使用は、以下でさらに詳細に説明される。
【００２０】
ｅノードＢ１１１と、ＷＡＰ１２０とは、ｅノードＢ１１１のデータ・インターフェース１１６と、ＷＡＰ１２０のデータ・インターフェース１２６との間で確立されるデータ・リンク１４６を経由して通信するように構成されている。データ・リンク１４６は、ｅノードＢと、ＷＡＰとの間のベアラ・トラフィックおよび制御情報のサポート双方向通信のために適した任意のタイプの通信ネットワーク（例えば、ＩＰ−ベースのネットワーク、イーサネット・ネットワークなど、ならびにその様々な組合せ）とを横断することができる。セルラー方式−ＷＬＡＮ統合能力の実施形態をサポートするデータ・リンク１４６の使用は、以下でさらに詳細に説明される。
【００２１】
ＷＡＰ１２０と、ＵＥ１３０とは、ＷＡＰ１２０のワイファイ・インターフェース１２８と、ＵＥ１３０のワイファイ・インターフェース１３８との間のワイファイ・リンク１４８を経由して通信するように構成されている。ワイファイ・リンク１４８は、ワイファイ・エア・インターフェース（これは、ＯＦＤＭベースのｂ／ｇ／ｎ改訂版とそれらの進化版とを含めて、８０２．１１ファミリの仕様の改訂版のうちの任意のものを含むことができる）を表す。ワイファイ・リンク１４８は、洗練されたアクセス・プロトコル（例えば、キャリア検知多重アクセス（ＣＳＭＡ：Ｃａｒｒｉｅｒ  Ｓｅｎｓｅ  Ｍｕｌｔｉｐｌｅ  Ａｃｃｅｓｓ））を使用した時分割チャネルである。ＣＳＭＡメカニズムによれば、それぞれの可能性のあるトランスミッタ（これは、アクセス・ポイントと、それらの局とを含む）は、（ダウンリンク送信と、アップリンク送信との両方について）チャネルの使用について競合し、またチャネルが、空いているものと見なされるまで、送信を延期する。ＷＡＰ１２０は、ワイファイ・チャネルを使用して通信するワイファイ・アクセス・ポイントによる使用のために、既存のプロシージャを使用して、ワイファイ・リンク１４８を経由して通信するように構成されていることもある。ＵＥ１３０は、ワイファイ・エア・インターフェースを経由して通信する際に、ＵＥによる使用のために既存のプロシージャを使用して（例えば、分散型協調機能（ＤＣＦ：Ｄｉｓｔｒｉｂｕｔｅｄ  Ｃｏｏｒｄｉｎａｔｉｏｎ  Ｆｕｎｃｔｉｏｎ）フレーム間スペース（ＤＩＦＳ：ＤＣＦ  ＩｎｔｅｒＦｒａｍｅ  Ｓｐａｃｅ）と、競合ウィンドウ（ＣＷ：Ｃｏｎｔｅｎｔｉｏｎ  Ｗｉｎｄｏｗ）パラメータを考慮して、ＣＳＭＡメカニズムを使用してＷＡＰ１２０に関連づけ、ワイファイ・チャネルについて競合し、またワイファイ・チャネルを獲得し、短フレーム間スペース（ＳＩＦＳ：Ｓｈｏｒｔ  ＩｎｔｅｒＦｒａｍｅ  Ｓｐａｃｅ）パラメータを考慮して、ＷＡＰ１２０に対するワイファイ・チャネルを経由したデータの受信に肯定応答するなどのために、ＩＥＥＥ８０２．１１仕様によって規定される既存のプロシージャを使用して）ワイファイ・リンク１４８を経由して通信するように構成されていることもある。このようにして、ワイファイ・リンク１４８は、競合ベースのリンクであることが、理解されるであろう。セルラー方式−ＷＬＡＮ統合能力の実施形態をサポートするワイファイ・リンク１４８の使用は、以下でさらに詳細に説明される。
【００２２】
通信システム１００は、ｅノードＢ１１０からＵＥ１３０へのダウンリンク・ベアラ・トラフィックの配信と、ＵＥ１３０からｅノードＢ１１０へのアップリンク・ベアラ・トラフィックの配信とをサポートするように構成されている。例えば、ダウンリンク・ベアラ・トラフィックは、ウェブページ、ビデオ、電子メール、１方向のボイス・オーバーＩＰ（ＶＯＩＰ：ｖｏｉｃｅ−ｏｖｅｒ−ＩＰ）コール、１方向のビデオ電話コールなどを含むことができる。例えば、アップリンク・ベアラ・トラフィックは、ウェブページについての要求、ビデオについての要求、電子メール、１方向のＶＯＩＰコール、１方向のビデオ電話コール、ビデオのアップロードなどを含むことができる。通信システム１００の内部のダウンリンク・ベアラ・トラフィックと、アップリンク・ベアラ・トラフィックとの送信は、以下でさらに詳細に説明される。
【００２３】
ＵＥ１３０に対する配信を対象としている、ｅノードＢ１１１からのダウンリンク・ベアラ・トラフィックでは、ｅノードＢ１１１と、ＵＥ１３０との両方は、ＥＵＴＲＡリンク１４７と、ワイファイ・リンク１４８とを経由してダウンリンク・ベアラ・トラフィックの配信をサポートするように構成されている。
【００２４】
ｅノードＢ１１１は、ＥＵＴＲＡリンク１４７と、ワイファイ・リンク１４８との間で、ＵＥ１３０を対象としたダウンリンク・ベアラ・トラフィックを選択的に分割するように構成されていることもある。ＥＵＴＲＡリンク１４７と、ワイファイ・リンク１４８との間のダウンリンク・ベアラ・トラフィックの選択的な分割は、ＥＵＴＲＡインターフェース１１７（およびそれゆえに、ＥＵＴＲＡリンク１４７）を経由した送信と、データ・インターフェース１１６を経由した送信（これは、ワイファイ・リンク１４８を経由したＵＥ１３０に対する配信のためにＷＡＰ１２０に対してルーティングされる）との間でダウンリンク・ベアラ・トラフィックを選択的に分割することを含んでいる。ｅノードＢ１１１は、フローごとに（例えば、パケット・フローのパケットのうちの第１の部分が、ＥＵＴＲＡリンク１４７を経由して送信され、またパケット・フローのパケットのうちの第２の部分が、ワイファイ・リンク１４８を経由して送信されるように、与えられたアプリケーション・フローのトラフィックを分割しており）、フローと独立して（例えば、ＵＥ１３０を対象としたトラフィックの第１の部分が、ＥＵＴＲＡリンク１４７を経由して送信され、またＵＥ１３０を対象としたトラフィックの第２の部分が、ワイファイ・リンク１４８を経由して送信される）などでダウンリンク・ベアラ・トラフィックを分割することができる。ｅノードＢ１１１は、ＵＥ１３０についてのトラフィック分割比（これは、ＵＥ１３０に特有であり、あるいはｅノードＢ１１１によってサービスされているいくつかのＵＥまたはすべてのＵＥのために使用されることもある）に基づいて、ＥＵＴＲＡリンク１４７と、ワイファイ・リンク１４８との間でダウンリンク・ベアラ・トラフィックを分割することができる。トラフィック分割比は、すべてのダウンリンク・ベアラ・トラフィックが、ＥＵＴＲＡリンク１４７を経由して送信され、ダウンリンク・ベアラ・トラフィックのそれぞれの部分が、ＥＵＴＲＡリンク１４７とワイファイ・リンク１４８とを通して配信され、またはすべてのダウンリンク・ベアラ・トラフィックが、ワイファイ・リンク１４８を経由して送信されるように、設定されることもある。ＵＥ１３０についてのダウンリンク・ベアラ・トラフィックを分割するためにｅノードＢ１１１によって使用されるトラフィック分割比は、ｅノードＢ１１１により（例えば、ＬＴＥネットワーク１１０のＲＡＮ部分に関連する１つまたは複数のステータス情報、ＥＵＴＲＡインターフェース１１７に関連するステータス情報（例えば、負荷情報）、ＷＡＰ１２０に関連するステータス情報（例えば、キュー・バックプレッシャ、負荷など）などに基づいて）決定され、ｅノードＢ１１１に対して（例えば、セルラー方式ネットワーク１１０の別の要素などにより）提供されることもあるなどであり、同様に、その様々な組合せとすることもできる。
【００２５】
ＵＥ１３０は、ｅノードＢ１１１からダウンリンク・ベアラ・トラフィックを受信するように構成されている。ＵＥ１３０が、ダウンリンク・ベアラ・トラフィックを受信するやり方は、ダウンリンク・ベアラ・トラフィックが、ｅノードＢから送信されるやり方に依存している（例えば、ＥＵＴＲＡリンク１４７を経由してすべてのダウンリンク・ベアラ・トラフィックを受信しており、ＥＵＴＲＡリンク１４７とワイファイ・リンク１４８とを経由して、ダウンリンク・ベアラ・トラフィックのそれぞれの部分を受信しており、またはワイファイ・リンク１４８を経由して、すべてのダウンリンク・ベアラ・トラフィックを受信している）。ＵＥ１３０は、ダウンリンク・ベアラ・トラフィックが、ｅノードＢ１１１によって分割されることに先立って、ダウンリンク・ベアラ・トラフィックが取っていた形態へと再アセンブリされるように、ダウンリンク・ベアラ・トラフィックが、ＥＵＴＲＡリンク１４７と、ワイファイ・リンク１４８との両方を経由して受信されるときに、ダウンリンク・ベアラ・トラフィックを結合するように構成されている。ＵＥ１３０が、ダウンリンク・ベアラ・トラフィックを再結合するやり方は、ｅノードＢ１１１が、ダウンリンク・ベアラ・トラフィックを分割するやり方に依存することもあること（例えば、単一パケット・フローのパケットが、分割される場合には、パケットは、パケットが分割されることに先立って配列されていた順序になるように再結合されることもあり、複数のパケット・フローのパケットが分割される場合には、パケットは、パケット・フローに基づいて組織化される必要がある可能性があり、またパケット・フローのパケットの組は、パケット・フローのパケットが分割されることに先立って配列されていた順序になるように再結合されることもある）が、理解されるであろう。ＵＥ１３０は、ＵＥ１３０においてダウンリンク・ベアラ・トラフィックの処理または取り扱い（例えば、ダウンリンク・ベアラ・トラフィックをメモリ１３２に記憶すること、ダウンリンク・ベアラ・トラフィックを１人または複数人のユーザに対して提示するためにＵＥ１３０の１つまたは複数のユーザ・インターフェースに向かって伝搬することなど、ならびにその様々な組合せ）を実行するように構成されていることもある。
【００２６】
ＵＥ１３０からのアップリンク・ベアラ・トラフィックでは、ＵＥ１３０と、ｅノードＢ１１１との両方は、ＥＵＴＲＡリンク１４７と、ワイファイ・リンク１４８とを経由してアップリンク・ベアラ・トラフィックの伝搬をサポートするように構成されている。ＥＵＴＲＡリンク１４７を経由したＵＥ１３０からのアップリンク・ベアラ・トラフィックの送信は、ワイファイ・リンク１４８から少なくとも何らかのアップリンク・ベアラ・トラフィック（例えば、そうでなければ、ワイファイ・リンク１４８を経由して送信されていることになるアップリンク・ベアラ・トラフィック）をオフロードする効果を有する可能性があり、これは、通信システム１００の内部のアップリンク・ベアラ・トラフィックと、ダウンリンク・ベアラ・トラフィックとの両方についての送信のために様々な利点を提供することができることに注意すべきである。
【００２７】
ＵＥ１３０は、ＥＵＴＲＡリンク１４７と、ワイファイ・リンク１４８との間でアップリンク・ベアラ・トラフィックを選択的に分割するように構成されていることもある。ＥＵＴＲＡリンク１４７と、ワイファイ・リンク１４８との間でのアップリンク・ベアラ・トラフィックの分割は、ＷＡＰ１２０が比較的軽い負荷を有するときに、ワイファイ・リンク１４８を経由してＵＥ１３０からアップリンク・ベアラ・トラフィックの送信を取り除くことが、必要でも、または望ましくもない可能性があるように、（アップリンク・ベアラ・トラフィックが、ワイファイ・リンク１４８を経由して送信された場合に、さもなければ生じるであろうアップリンク・アクセスの競合における予想された増大の結果として）ＷＡＰ１２０の上の負荷が増大するときに、ＵＥ１３０からのアップリンク・ベアラ・トラフィックの送信のためにＥＵＴＲＡリンク１４７を使用することの利点が増大する傾向がある、という観察に基づいたものとすることができる。ＥＵＴＲＡリンク１４７と、ワイファイ・リンク１４８との間でのアップリンク・ベアラ・トラフィックの選択的分割は、ＥＵＴＲＡインターフェース１３７（およびそれゆえに、ＥＵＴＲＡリンク１４７）を経由した送信と、ワイファイ・インターフェース１３８（およびそれゆえにワイファイ・リンク１４８）を経由した送信との間のアップリンク・ベアラ・トラフィックを選択的に分割することを含んでいる。ＵＥ１３０は、フローごとに（例えば、パケット・フローのパケットのうちの第１の部分が、ＥＵＴＲＡリンク１４７を経由して送信され、またパケット・フローのパケットのうちの第２の部分が、ワイファイ・リンク１４８を経由して送信されるように、与えられたアプリケーション・フローのトラフィックを分割しており）、アプリケーション・フローと独立して（例えば、ｅノードＢ１１１を経由して送信されるべきアップリンク・ベアラ・トラフィックの第１の部分が、ＥＵＴＲＡリンク１４７を経由して送信され、またｅノードＢを経由して送信されるべきアップリンク・ベアラ・トラフィックの第２の部分が、ワイファイ・リンク１４８を経由して送信される）などでアップリンク・ベアラ・トラフィックを分割することができる。ＵＥ１３０は、ＵＥ１３０についてのトラフィック分割比に基づいて、ＥＵＴＲＡリンク１４７と、ワイファイ・リンク１４８との間でアップリンク・ベアラ・トラフィックを分割することができる。トラフィック分割比は、すべてのアップリンク・ベアラ・トラフィックが、ＥＵＴＲＡリンク１４７を経由して送信され、アップリンク・ベアラ・トラフィックのそれぞれの部分が、ＥＵＴＲＡリンク１４７とワイファイ・リンク１４８とを通して配信され、またはすべてのアップリンク・ベアラ・トラフィックが、ワイファイ・リンク１４８を経由して送信されるように、設定されることもある。アップリンク・ベアラ・トラフィックを分割するためにＵＥ１３０によって使用されるトラフィック分割比は、任意の適切な情報に基づいて、任意の適切な要素によって決定されることもある。ＵＥ１３０から送信されるアップリンク・ベアラ・トラフィックについてのトラフィック分割比は、ＵＥ１３０により（例えば、ＵＥ１３０における測定結果に基づいて、ｅノードＢ１１１またはＷＡＰ１２０により、ＵＥ１３０に対して提供される情報の処理に基づいてなどで）決定されることもあり、ＬＴＥネットワーク１１０の内部で決定され、またＵＥ１３０に対して信号で伝えられることなどもある。ＵＥ１３０から送信されるアップリンク・ベアラ・トラフィックについてのトラフィック分割比は、１つまたは複数のＷＬＡＮ負荷（例えば、ビーコンからＵＥ１３０によって測定され、アクセス・ネットワーク発見選択機能（ＡＮＤＳＦ：Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）を経由してＵＥ１３０に対して報告されるなど）、ＲＡＮ負荷（例えば、ＲＡＮからのブロードキャスト信号またはユニキャスト信号を経由してＵＥ１３０に対して報告され、ＡＮＤＳＦを経由してＵＥ１３０に対して報告されるなど）などに基づいて、決定されることもある。ＵＥ１３０におけるアップリンク・ベアラ・トラフィックの選択的分割は、ＷＬＡＮアクセス・ポイントに関連するステータス情報と、セルラー方式ネットワーク・アクセス・ポイントに関連するステータス情報と、ユーザ・デバイスにおけるアップリンク・ベアラ・トラフィックの強度（アップリンク・ベアラ・トラフィック・フローの数、アップリンク・ベアラ・トラフィック・フローの帯域幅要件など、ならびにその様々な組合せ）と、ＬＴＥネットワーク１１０に対するＵＥ１３０による要求（例えば、ＬＴＥネットワーク１１０のＲＡＮ部分）と、ＬＴＥネットワーク１１０による関連する認可などと、その様々な組合せとのうちの少なくとも１つに基づいたものとすることができる。
【００２８】
ｅノードＢ１１１は、ＵＥ１３０からアップリンク・ベアラ・トラフィックを受信するように構成されている。ｅノードＢ１１１がアップリンク・ベアラ・トラフィックを受信するやり方は、アップリンク・ベアラ・トラフィックが、ＵＥ１３０から送信されるやり方に依存する（例えば、ＥＵＴＲＡリンク１４７を経由してすべてのアップリンク・ベアラ・トラフィックを受信しており、ＥＵＴＲＡリンク１４７と、ワイファイ・リンク１４８とを経由して、アップリンク・ベアラ・トラフィックのそれぞれの部分を（ＷＡＰ１２０と、ｅノードＢ１１１との間のデータ・リンク１４６を経由して）受信しており、またはワイファイ・リンク１４８を経由して（この場合にもＷＡＰ１２０と、ｅノードＢ１１１との間のデータ・リンク１４６を経由して）、すべてのアップリンク・ベアラ・トラフィックを受信している）。ｅノードＢ１１１は、アップリンク・ベアラ・トラフィックが、ｅノードＢ１１１によって分割されることに先立ってアップリンク・ベアラ・トラフィックが取った形式に再アセンブリされるように、アップリンク・ベアラ・トラフィックが、ＥＵＴＲＡリンク１４７と、ワイファイ・リンク１４８との両方を経由して受信されるときに、アップリンク・ベアラ・トラフィックを結合するように構成されている。ｅノードＢ１１１がアップリンク・ベアラ・トラフィックを再結合するやり方が、ＵＥ１３０がアップリンク・ベアラ・トラフィックを分割するやり方に依存する可能性があることが理解されるであろう。ｅノードＢ１１１は、ＬＴＥネットワーク１１０の内部のアップリンク・ベアラ・トラフィック・アップストリームを伝搬させるように構成されていることもある。
【００２９】
ＥＵＴＲＡリンク１４７が、順方向リンク／逆方向リンクのリソース比の調整をサポートするシステム（例えば、ＴＤ−ＬＴＥシステム）に基づいている少なくともいくつかの実施形態においては、ワイファイ・リンク１４８ではなく、ＥＵＴＲＡリンク１４７を経由したアップリンク・ベアラ・トラフィックの送信に起因したＥＵＴＲＡリンク１４７の上の追加のトラフィックを適合させるために、ＥＵＴＲＡリンク１４７は、ワイファイ・リンク１４８を経由した送信を対象としたアップリンク・ベアラ・トラフィックが、ＥＵＴＲＡリンク１４７を経由して送信されない場合に、そうでなければ逆方向リンクのために使用され得るものよりも大きいリソースの割り付けを逆方向リンクに対して与えるように調整されることもある。ＥＵＴＲＡリンク１４７の調整は、ｅノードＢ１１１、またはＬＴＥネットワーク１１０の任意の他の適切な要素によって制御されることもある。
【００３０】
上記で考察されるように、ＥＵＴＲＡリンク１４７と、ワイファイ・リンク１４８との間でのＵＥ１３０のアップリンク・ベアラ・トラフィックの分割は、ワイファイ・リンク１４８から少なくとも何らかのアップリンク・ベアラ・トラフィック（例えば、そうでなければ、ワイファイ・リンク１４８を経由して送信されていることになり、また今やＥＵＴＲＡリンク１４７を経由して送信されるアップリンク・ベアラ・トラフィック）をオフロードする効果を有する可能性があり、これは、通信システム１００の内部のアップリンク・ベアラ・トラフィックと、ダウンリンク・ベアラ・トラフィックとの両方についての送信のために様々な利点を提供することができる。
【００３１】
ＥＵＴＲＡリンク１４７を経由したアップリンク・ベアラ・トラフィックの送信に関して、ワイファイ・インターフェース１３８ではなくＥＵＴＲＡインターフェース１３７を経由したアップリンク・ベアラ・トラフィックの送信は、ＥＵＴＲＡインターフェース１３７を経由したアップリンク送信がスケジュールされ、またそれゆえに、ワイファイ・インターフェース１３８を経由したどのような送信（依然としてワイファイ・リンク１４８を経由して送信され得る他のアップリンク・ベアラ・トラフィック、ＷＡＰ１２０からＵＥ１３０へのワイファイ・リンク１４８を経由して送信されるダウンリンク・ベアラ・トラフィックなどの送信）とも競合する必要がないことを保証する効果を有している。すべてのアップリンク・ベアラ・トラフィックが、ワイファイ・リンク１４８ではなくて、ＥＵＴＲＡリンク１４７を経由して送信される場合には、アップリンク・ベアラ・トラフィックのすべてのアップリンク送信は完全にスケジュールされ、またこのようにして、ＵＥ１３０は、ワイファイ・リンク１４８についての競合に寄与してはいないことに注意すべきである。すべてのアップリンク・ベアラ・トラフィックが、ワイファイ・リンク１４８ではなくてＥＵＴＲＡリンク１４７を経由して送信される場合には、ＵＥ１３０からのアップリンク・ベアラ・トラフィックの送信のためのワイファイ・リンク１４８の使用可能性の損失（これは、ほとんどの場合に、ワイファイ・リンク１４８が、衝突に起因して、とにかくアップリンク・ベアラ・トラフィックの送信のために使用不可能になっているであろうと仮定すると、実際には比較的に小さい）は、ＥＵＴＲＡリンク１４７の特性（例えば、ＥＵＴＲＡリンク１４７の上のアップリンク・ベアラ・トラフィックの時分割多重化と周波数分割多重化との使用）によって提供される効率によって補償されることにも、さらに注意すべきである。
【００３２】
ワイファイ・リンク１４８を経由したダウンリンク・ベアラ・トラフィックの送信に関して、ワイファイ・インターフェース１３８ではなく、ＥＵＴＲＡインターフェース１３７を経由したＵＥ１３０によるアップリンク・ベアラ・トラフィックの送信は、ワイファイ・リンク１４８の上でＵＥ１３０によって送信されるアップリンク・ベアラ・トラフィックの量を低減させる（または取り除く）ことさえある効果を有しており、それによって、ＵＥ１３０から送信されているアップリンク・ベアラ・トラフィックに起因している、ワイファイ・リンク１４８についての競合を低減させている（または、この場合にも取り除くことさえある）。結果として、ワイファイ・リンク１４８のスループットは、ワイファイ・リンク１４８を経由したＵＥ１３０のアップリンク・ベアラ・トラフィックの送信についての低減された競合のために、ダウンリンク送信についてのワイファイ・リンク１４８の増大された使用可能性に起因して増大することもある。
【００３３】
さらに、ワイファイ・リンク１４８を経由したダウンリンク・ベアラ・トラフィックの送信に関しては、複数のＵＥが、ＷＡＰ１２０に関連づけられることもあることに注意すべきである。したがって、ワイファイ・リンク１４８を経由したＵＥ１３０からのアップリンク・ベアラ・トラフィックの送信が完全に取り除かれる場合でさえも、アップリンク・ベアラ・トラフィックの送信のために依然としてワイファイ・リンク１４８を使用している１つまたは複数の他のＵＥが、依然として存在している可能性がある。しかしながら、ＷＡＰ１２０に関連する各ＵＥが、ＵＥのワイファイ・リンク１２０からそれぞれのＥＵＴＲＡリンクへとそのアップリンク・ベアラ・トラフィックを完全にオフロードすることができることもまた、可能である。ＷＡＰ１２０に関連するＵＥのすべてのアップリンク・ベアラ・トラフィックのオフローディングは、ＷＡＰ１２０において解決すべき競合が存在していないこと、およびそれゆえに、ＷＡＰ１２０のワイファイ・インターフェース１２８（およびそれゆえに、ＷＡＰ１２０のワイファイ・リンク１４８）が、ダウンリンク・ベアラ・トラフィックだけのためのスケジュールされたアクセスとして動作することができることを保証する。ＷＡＰ１２０に関連するＵＥのすべてのアップリンク・ベアラ・トラフィックのオフローディングはまた、ワイファイ・チャネルの使用が、完全に、ＷＡＰ１２０におけるスケジューラの制御の下にあるので、ダウンリンク・データ・レートが、ワイファイ・リンク１４８の上で、今や、保証され、または少なくとも決定論的である可能性があることを保証する。したがって、上記で指摘されるように、ＷＡＰ１２０に関連するＵＥにおけるアップリンク・ベアラ・トラフィックのオフローディングは、ＷＡＰ１２０のダウンリンク・スループットを増大させる。例えば、ワイファイ・リンク１４８のスループットは、ＷＡＰ１２０が、常に、またはほぼ常に、ワイファイ・リンク１４８がｅノードＢ１１１から受信されるダウンリンク・ベアラ・トラフィックの送信のために使用可能であることを見出すことになることが、今や期待されるので、約４０％（ここでは、ワイファイ・チャネルの６０％が、衝突と競合との解決プロシージャに起因して使用不可能である）もの低さから約８０％（ここでは、およそ２０％の使用不可能性が、ＤＩＦＳ、ＳＩＦＳ、ＡＣＫ、ＣＷなどのＣＳＭＡプロトコル・オーバーヘッドに起因しているだけである）まで、増大されることもある。
【００３４】
アップリンクのオフローディングに起因したワイファイ・リンク１４８のダウンリンク・スループットにおける改善は、図２Ａおよび２Ｂを参照することにより分かり得る。図２Ａと、２Ｂとは、（１）ワイファイ・リンク２１１をサポートするワイファイＡＰ２１０の送信と、（２）それぞれ複数のＥＵＴＲＡリンク２２１１〜２２１Ｎ（一括して、ＥＵＴＲＡリンク２２１）をサポートしており、またワイファイ・リンク２１１に対するアクセス権を有する複数のＵＥ２２０１〜２２０Ｎ（一括して、ＵＥ２２０）の送信とを示すものである。図２Ａは、ＵＥ２２０のアップリンク・ベアラ・トラフィックのうちの必ずしもすべてが、それぞれのＥＵＴＲＡリンク２２１を経由して送信されるとは限らない（また、それゆえに、ＵＥ２２０のうちのいくつかまたはすべてが、ワイファイ・リンク２１１に対するアクセスのためにワイファイＡＰ２１０と争う）状況を示しているのに対して、図２Ｂは、ＵＥ２２０のアップリンク・ベアラ・トラフィックのうちのすべてが、それぞれのＥＵＴＲＡリンク２２１を経由して送信される（また、それゆえに、ＵＥ２２０のうちのどれも、ワイファイ・リンク２１１に対するアクセスのためにワイファイＡＰ２１０と競合している）状況を示している。図２Ａに示されるように、ＵＥ２２０２からワイファイＡＰ２１０へのアップリンク・ベアラ・トラフィックの送信のためのワイファイ・リンク２１１に対するアクセスがＵＥ２２０２に対して認可されたので、時刻ｔ２において、ワイファイＡＰ２１０は、ＵＥ２２０のうちのどれに対してもダウンリンク・データを送信することができない。対照的に、図２Ｂに示されるように、時刻ｔ２において、ワイファイＡＰ２１０は、ＵＥ２２０２に対してダウンリンク・データを送信することができ、また同時にＵＥ２２０２は、ＥＵＴＲＡリンク２２１２を経由してアップリンク・ベアラ・トラフィックを送信することができる。図２Ｂの構成における時刻ｔ２から開始される時間においてワイファイＡＰ２１０からＵＥ２２０２へのダウンリンク・データのこの送信は、ダウンリンク・データの追加の送信が、図２Ａの構成の内部では可能でないことを表すことに、注意すべきである。
【００３５】
ＥＵＴＲＡリンク１４７と、ワイファイ・リンク１４８との間のアップリンク・ベアラ・トラフィックの分割は、ＵＥ１３０からのアップリンク・ベアラ・トラフィックの送信のためにＥＵＴＲＡリンク１４７を使用する利益が、ＷＡＰ１２０が比較的軽い負荷を有するときにワイファイ・リンク１４８を経由してＵＥ１３０からアップリンク・ベアラ・トラフィックの送信を取り除くことが必要でも、または望ましくもない可能性があるようにして、（アップリンク・ベアラ・トラフィックが、ワイファイ・リンク１４８を経由して送信された場合に、そうでなければもたらされることになるアップリンク・アクセスの競合の期待された増大の結果として）ＷＡＰ１２０の上の負荷が増大するときに増大する傾向があるという観察に基づいたものとすることができることに注意すべきである。
【００３６】
少なくともいくつかの実施形態においては、ＷＡＰ１２０の１つまたは複数のワイファイ・パラメータは、ワイファイ・リンク１４８を経由してＵＥ１３０によって送信されるアップリンク・ベアラ・トラフィックの量の変化に基づいて調整されることもある。例えば、ＷＡＰ１２０は、ＷＡＰ１２０のＣＷパラメータを調整するように構成されていることもある。ＷＡＰ１２０の最大のＣＷパラメータと、最小のＣＷパラメータとは、ＷＡＰ１２０と、ＷＡＰ１２０に関連するＵＥと（実例としては、ＵＥ１３０と、場合によっては明確にする目的のために省略されている１つまたは複数の他のＵＥと）が、ワイファイ・リンク１４８がビジー状態であることを検知した後に待つ必要がある時間（すなわち、バックオフ期間）を決定する。したがって、ＷＰＡ１２０のＣＷパラメータは、ＥＵＴＲＡリンク１４７を対象とするアップリンク・ベアラ・トラフィックの量が、増大するときに、減少させられる可能性があり、また逆に、ＣＷパラメータは、ＥＵＴＲＡリンク１４７を対象とするアップリンク・ベアラ・トラフィックの量が減少するときに、増大させられる可能性がある。それゆえに、ＷＡＰ１２０は、アップリンク・ベアラ・トラフィックがワイファイ・リンク１４８を経由して送信された場合に、そうでなければ可能になるよりもＣＷパラメータの小さな値を使用するように（また、少なくともいくつかの実施形態においては、ＣＷパラメータのうちの最小の値を使用するように）構成されていることもある。
【００３７】
少なくともいくつかの実施形態においては、ｅノードＢ１１１は、ＵＥ１３０についてのワイファイ・リンク（例えば、ＷＡＰ１２０を用いて確立されるワイファイ・リンク１４８、または任意の他の適切なＷＡＰに関連する任意の他の適切なワイファイ・リンク）の確立と終了とを制御するように構成されていることもある。少なくともいくつかの実施形態においては、ｅノードＢ１１１は、ＵＥ１３０による使用のために使用可能なＷＡＰに関連するワイファイ・リンク・パラメータのＵＥ−ベースの測定報告に基づいて、ＵＥ１３０についてのワイファイ・リンクの確立と終了とを制御するように構成されていることもある。
【００３８】
ｅノードＢ１１１は、ＵＥ１３０による使用のために使用可能なＷＡＰに関連するワイファイ・リンク・パラメータのＵＥ−ベースの測定報告の、ＵＥ１３０による送信を制御するように構成されていることもある。ｅノードＢ１１１は、ＵＥ１３０に対して信号を提供して、（１）ＵＥ１３０が、（例えば、ＷＡＰのＷＡＰ識別子により）ＵＥ−ベースの測定報告を提供する際に使用するためのワイファイ・リンク・パラメータの測定結果を収集すべきであるＷＡＰに関してＵＥ１３０に通知し、（２）どのワイファイ・リンク・パラメータが、ＵＥ１３０からｅノードＢ１１１へと提供されるＵＥ−ベースの測定報告の中で提供されるべきであるかについての表示をＵＥ１３０に提供し、また（３）いつワイファイ・リンク・パラメータのＵＥ−ベースの測定報告が、ｅノードＢ１１１に対してＵＥ１３０によって送信されるべきであるかについて示している測定制御パラメータをＵＥ１３０に提供することができる。この情報（または情報の少なくとも一部分）は、ブロードキャスト信号または専用信号を使用して、ｅノードＢ１１１からＵＥ１３０へと送信されることもある。この情報（または情報の少なくとも一部分）は、ＲＲＣ信号を経由してｅノードＢ１１１からＵＥ１３０へと送信されることもある。ＷＡＰ識別子は、任意の適切な識別子（例えば、基本サービス・セット識別情報（ＢＳＳＩＤ：Ｂａｓｉｃ  Ｓｅｒｖｉｃｅ  Ｓｅｔ  Ｉｄｅｎｔｉｆｉｃａｔｉｏｎ）、ＳＳＩＤ、同種拡張サービス・セット識別子（ＨＥＳＳＩＤ：Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）など）を含むことができる。ＷＡＰ識別子の信号は、３ＧＰＰ  ＴＲ３７．８３４のセクション６．１．３．１−２の中で規定されるように実行されることもある。ＷＡＰ１２０のためのＵＥ１３０のＵＥ−ベースの測定報告の中に含まれ得るワイファイ・リンク・パラメータは、３ＧＰＰ  ＴＲ３７．８３４のセクション６．１．３．１−３の中で規定されるようなパラメータとすることができる。測定制御パラメータは、ＲＲＣ信号を使用して、ＵＥ１３０の上で構成されていることもある。測定制御パラメータは、３ＧＰＰ  ＴＲ３７．８３４のセクション６．１．３．１−１の中で規定されるような測定制御のためのパラメータとすることができる。測定制御パラメータは、ｅノードＢ１１１に対するＵＥ１３０によるＷＬＡＮリンク・パラメータのＵＥ−ベースの測定報告の送信を制御するためのイベント・ベースのトリガとすることができる。
【００３９】
ＵＥ１３０は、測定制御パラメータのうちの１つが、満たされるときに（例えば、規定されたイベントのうちの１つが、トリガされるときに）ＵＥ−ベースの測定報告を送信するように構成されていることもある。ｅノードＢ１１１は、ＵＥ−ベースの測定報告を受信し、ＵＥ−ベースの測定報告に基づいて、ＵＥ１３０についてのワイファイ・リンクを取り扱うように構成されていることもある。ＵＥ１３０についてのワイファイ・リンク１４８の取り扱いは、ワイファイ・リンクの確立（例えば、ＵＥ１３０についての新しいワイファイ・リンクとしてのワイファイ・リンク１４８の確立）と、ワイファイ・リンクの転送（例えば、ワイファイ・リンク１４８が既存のＷＡＰから新しいＷＡＰへと移動するようなワイファイ・リンク１４８の転送）と、ワイファイ・リンクの終了（例えば、ワイファイ・リンク１４８の終了）などとを含むことができる。ｅノードＢ１１１は、ワイファイ・リンクがＵＥ１３０のために確立されるべきであるという決定に基づいて、ＵＥ１３０についてのＷＡＰ（例えば、ＷＡＰ１２０または任意の他の適切なＷＡＰ）を選択し、また次いで、（例えば、ＲＲＣ信号を経由して、または任意の他の適切なやり方で）選択されたＷＡＰに関連づけるようにＵＥ１３０に指示する。ＵＥ１３０は、選択されたＷＡＰとのワイファイ・リンクの確立に続いて、ｅノードＢ１１１に対して関連付けを報告し、その結果、ｅノードＢ１１１は、ＵＥ１３０のダウンリンク・ベアラ・トラフィックが、方向づけられるべきであるＷＡＰを知っている。ＵＥ１３０は、ＵＥ１３０についてのワイファイ・リンクの確立の後に（例えば、ワイファイ・リンクの確立の前に、ＵＥ１３０に対して以前に提供された同じ測定制御パラメータを使用すること、ワイファイ・リンクの確立の後に、ＵＥ１３０に対して提供される新しい測定制御パラメータを使用することなどにより）ワイファイ・リンクについてのリンク品質情報を報告するように構成されていることもある。ＵＥ１３０はまた、ワイファイ・リンクの確立の後に１つまたは複数の他のＷＡＰ（例えば、ＵＥ１３０の近くの１つまたは複数の他のＷＡＰ）についてのＵＥ−ベースの測定報告を提供するように構成されていることもある。１つまたは複数の他のＷＡＰについてのＵＥ−ベースの測定報告を提供するＵＥ１３０の構成は、（上記で考察されるような）ワイファイ・リンクの確立の前にＵＥ１３０によって受信される構成情報、ＷＬＡＮリンクの確立の後にＵＥ１３０によって受信される構成情報などに基づいたものとすることができる。ｅノードＢ１１１は、ワイファイ・リンクを維持すべきかどうかを決定し、ワイファイ・リンクから（例えば、異なるＷＡＰとの）新しいワイファイ・リンクへとＵＥ１３０を切り替え、またはワイファイ・リンクを終了させるために、ワイファイ・リンクのステータス（および、オプションとして、１つまたは複数の他のＷＡＰについてのＵＥ−ベースの測定報告に基づいた１つまたは複数の他のＷＡＰのステータス）を分析するように構成されていることもある。
【００４０】
主として、ＵＥ１３０についてのワイファイ・リンクの取り扱いが、ｅノードＢ１１１によって実行される実施形態に関して示され、または説明されているが、少なくともいくつかの実施形態においては、ＵＥ１３０についてのワイファイ・リンクの取り扱い（またはＷＬＡＮリンク・パラメータの提供を制御することなど、ワイファイ・リンクの取り扱いの少なくとも一部分）は、セルラー方式ネットワーク１１０の１つまたは複数の他の要素（例えば、ＲＡＮ、ＡＮＤＳＦなどの１つまたは複数の他の要素）によって実行され得ることが、理解されるであろう。
【００４１】
少なくともいくつかの実施形態においては、ＥＵＴＲＡリンク１４７と、ワイファイ・リンク１４８との間のＵＥ１３０のダウンリンク・ベアラ・トラフィックの配信は、無線リンク制御（ＲＬＣ：Ｒａｄｉｏ  Ｌｉｎｋ  Ｃｏｎｔｒｏｌ）レイヤにおいて実行される。例示の一実施形態は、図３に示されており、この図３は、図１の通信システム１００の内部のダウンリンク・ベアラ・トラフィックの送信のための例示のプロトコル・スタックを示すものである。図３に示されるように、ｅノードＢ１１１と、ＷＡＰ１２０と、ＵＥ１３０とは、それぞれ、それぞれのプロトコル・スタックをサポートする（プロトコル・スタックの関連のある部分だけが、図３に示されていることに注意すべきであるが）。ｅノードＢ１１１のプロトコル・スタックは、パケット・データ・コンバージェンス・プロトコル（ＰＤＣＰ：Ｐａｃｋｅｔ  Ｄａｔａ  Ｃｏｎｖｅｒｇｅｎｃｅ  Ｐｒｏｔｏｃｏｌ）レイヤ３１２と、ＲＬＣレイヤ３１４と、論理リンク制御（ＬＬＣ：Ｌｏｇｉｃａｌ  Ｌｉｎｋ  Ｃｏｎｔｒｏｌ）レイヤ３１５と、ＥＵＴＲＡ媒体アクセス制御（ＭＡＣ：Ｍｅｄｉａ  Ａｃｃｅｓｓ  Ｃｏｎｔｒｏｌ）レイヤ３１６と、ＥＵＴＲＡ物理（ＰＨＹ：Ｐｈｙｓｉｃａｌ）レイヤ３１８とを含む。ＷＡＰ１２０は、ＬＬＣレイヤ２２５と、ＷＬＡＮ  ＭＡＣレイヤ３２７と、ＷＬＡＮ  ＰＨＹレイヤ３２９とを含む。ＵＥ１３０は、ＰＤＣＰレイヤ３３２と、ＲＬＣレイヤ３３４と、ＥＵＴＲＡ  ＭＡＣレイヤ３３６と、ＥＵＴＲＡ  ＰＨＹレイヤ３３８と、ＷＬＡＮ  ＭＡＣレイヤ３３７と、ＷＬＡＮ  ＰＨＹレイヤ３３９とを含む。
【００４２】
ｅノードＢ１１１におけるＲＬＣレイヤ３１４は、現在、規定されているプロトコルと、プリミティブとに基づいて、ｅノードＢ１１１におけるＥＵＴＲＡ  ＭＡＣレイヤ３１６とインターフェースすることができる。ｅノードＢ１１１におけるＲＬＣレイヤ３１４は、既存の機能（例えば、セグメント化および再構成（ＳＡＲ：Ｓｅｇｍｅｎｔａｔｉｏｎ  ａｎｄ  Ｒｅａｓｓｅｍｂｌｙ）、自動反復要求（ＡＲＱ：Ａｕｔｏｍａｔｉｃ  Ｒｅｐｅａｔ  Ｒｅｑｕｅｓｔ）など）を実行することに加えて、ダウンリンク・ベアラ・トラフィックを配信する追加の機能（例えば、ＷＡＰ１２０に対する送信をサポートするＬＬＣレイヤ３１５と、ＥＵＴＲＡリンク１４７を経由したＵＥ１３０に対する送信をサポートするＥＵＴＲＡ  ＭＡＣレイヤ３１８との間のダウンリンク・ベアラ・トラフィックの分割）を実行するように構成されていることもある。
【００４３】
ｅノードＢ１１１におけるＲＬＣレイヤ３１４は、ＬＬＣプロトコル（例えば、８０２．２−ベースのＬＬＣプロトコル）を経由してＷＡＰ１２０におけるＷＬＡＮ  ＭＡＣ３２７とインターフェースすることができ、このＬＬＣプロトコルは、ｅノードＢ１１１（実例として、ＬＬＣレイヤ３１５）と、ＷＡＰ１２０（実例として、ＬＬＣレイヤ３２５）との両方の上で実行されている。上記で考察されるように、ｅノードＢ１１１と、ＷＡＰ１２０とは、任意の適切な通信ネットワーク（例えば、イーサネットまたは任意の他の適切なタイプの通信ネットワーク）を経由して通信するように接続されることもある。ＬＬＣプロトコルは、肯定応答されない、接続のないモードで動作することができるが、フロー制御を必要とすることになる。ｅノードＢ１１１のＬＬＣレイヤ３１５は、ＥＵＴＲＡリンクと、ＷＬＡＮリンクとの間のダウンリンク・ベアラ・トラフィックの分割を制御する際に、ＲＬＣレイヤによる使用のために適合されたステータス情報（例えば、ＷＡＰにおける１つまたは複数のキュー・バックプレッシャ、ＷＡＰにおける混雑状態などを示す情報）をｅノードＢ１１１のＲＬＣレイヤ３１４に提供することができる。
【００４４】
ｅノードＢ１１１におけるＲＬＣレイヤ３１４は、ＲＬＣ  ＡＲＱメカニズムを実行するように構成されている。少なくともいくつかの実施形態においては、ＥＵＴＲＡリンク１４７と、ＷＬＡＮリンク１４８との両方を経由して受信されるアップリンク・パケットの集約ビューを提供するＲＬＣ  ＡＲＱメカニズムは、ＷＬＡＮリンク１４８を経由したＵＥ１３０からＷＡＰ１２０への任意のＲＬＣ  ＡＲＱメッセージの交換についての必要性が存在しないように、ＥＵＴＲＡ逆方向リンクだけの上で取り扱われることもある。
【００４５】
ＵＥ１３０のＷＬＡＮ  ＭＡＣレイヤ３３７と、ＷＡＰ１２０のＷＬＡＮ  ＭＡＣレイヤ２２７とは、ワイファイ・リンク１４８を経由して、ＵＥ１３０によって受信されるダウンリンク・ベアラ・トラフィックの一部分についてのＷＬＡＮ  ＭＡＣレイヤのＡＲＱメカニズムを実行するように構成されている。
【００４６】
主として、ｅノードＢ１１１からＵＥ１３０へのダウンリンク・ベアラ・トラフィックの通信と、ＵＥ１３０からｅノードＢ１１０へのアップリンク・ベアラ・トラフィックの通信とをサポートする特定のプロトコルの使用に関して示され、また説明されるが、ＵＥ１３０についてのダウンリンク・ベアラ・トラフィックと、アップリンク・ベアラ・トラフィックとの通信は、任意の他の適切なプロトコルを使用して実行されることもあることが、理解されるであろう。
【００４７】
図４は、ＵＥとトラフィックを交換するセルラー方式ネットワークのｅノードＢによる使用のための方法についての一実施形態を示すものである。主として、互いに対して相対的な特定の順序で実行されているように示され、また説明されるが、方法４００のステップのうちの少なくとも一部分は、図４に示されるものと異なる順序で、実行され得ることが、理解されるであろう。ステップ４０１において、方法４００は、開始され、また取り扱いのための３つのブランチ、すなわち、それぞれ、ＵＥに対するダウンリンク・ベアラ・トラフィック（ステップ４１０Ｄおよび４２０Ｄ）、ダウンリンク・ベアラ・トラフィックに関連するＲＬＣ肯定応答トラフィック（ステップ４１０Ａ）、またはＵＥからのアップリンク・ベアラ・トラフィック（ステップ４１０Ｕおよび４２０Ｕ）のうちの１つへと進む。ダウンリンク・ベアラ・トラフィックでは、ｅノードＢは、（１）ＵＥに対する配信を対象としたダウンリンク・ベアラ・トラフィックを受信し（ステップ４１０Ｄ）、このダウンリンク・ベアラ・トラフィックは、セルラー方式ネットワークの内部のアップストリームから受信されるダウンリンク・ベアラ・トラフィック、またはＲＬＣ再送信パケットを含むことができ、また（２）ＵＥに対してＥＵＴＲＡリンクを経由して、またワイファイ・インターフェースを経由してＵＥに対してダウンリンク・ベアラ・トラフィックのその部分を送信するように構成されているＷＡＰに対してデータ・リンクを経由して、ダウンリンク・ベアラ・トラフィックのそれぞれの部分を伝搬させる（４２０Ｄ）。ダウンリンク・ベアラ・トラフィックに関連するＲＣＬ肯定応答トラフィックでは、ＥＵＴＲＡリンクと、ワイファイ・リンクとを経由してＵＥによって受信される各ダウンリンク・ベアラ・パケットについて、ｅノードＢは、ＥＵＴＲＡリンクを経由して関連するＲＬＣ  ＡＣＫ／ＮＡＫを受信する（ステップ４１０Ａ）。アップリンク・ベアラ・トラフィックでは、ｅノードＢは、ＵＥから、ＥＵＴＲＡリンクを経由して、かつ／またはデータ・インターフェースを経由して、ＵＥに対するワイファイ・リンクをサポートするＷＡＰへのアップリンク・ベアラ・トラフィックを受信し（ステップ４１０Ｕ）、またセルラー方式ネットワークの内部でアップリンク・ベアラ・トラフィック・アップストリームを伝搬させる（４２０Ｕ）。ステップ４２０Ｄ、４１０Ａ、および４２０Ｕから、方法４００は、ステップ４９９へと進み、ここで、方法４００は、終了する。終了として（明確にする目的のために）示され、また説明されるが、方法４００は、必要に応じて（例えば、トラフィックが受信されるときに、トラフィックが、送信のために使用可能になるときになど）方法４００の様々なステップのうちのどれかを実行するように動作し続けることもできることが、理解されるであろう。
【００４８】
図５は、ＵＥの組についての通信をサポートするＷＡＰによる使用のための方法についての一実施形態を示すものである。主として、互いに対して相対的な特定の順序で実行されているように示され、また説明されるが、方法５００のステップのうちの少なくとも一部分は、図５に示されるものと異なる順序で、実行され得ることが、理解されるであろう。ステップ５０１において、方法５００は、開始され、また取り扱いのための３つのブランチ、すなわち、それぞれ、ＵＥに対するダウンリンク・ベアラ・トラフィック（ステップ５１０Ｄおよび５２０Ｄ）、ダウンリンク・ベアラ・トラフィックに関連するＭＡＣ肯定応答トラフィック（ステップ５１０Ａ）、またはＵＥからのアップリンク・ベアラ・トラフィック（ステップ５１０Ｕおよび５２０Ｕ）のうちの１つへと進む。ダウンリンク・ベアラ・トラフィックでは、ＷＡＰは、（１）ｅノードＢから、ＵＥの組の中の１つまたは複数のＵＥに対する配信を対象としたダウンリンク・ベアラ・トラフィックを受信し（ステップ５１０Ｄ）、また（２）ＷＡＰのワイファイ・リンクと、ＵＥのＥＵＴＲＡリンクとの間の、ＵＥのアップストリーム・ベアラ・トラフィックの選択的配信に少なくとも部分的に基づいているアップリンク競合のレベルを有するＵＥの組の中の１つまたは複数のＵＥに対してダウンリンク・ベアラ・トラフィックを送信する（ステップ５２０Ｄ）。ワイファイ・リンクを経由して送信されるダウンリンク・ベアラ・トラフィックに関連するＭＡＣ肯定応答トラフィックでは、ワイファイ・リンクを経由してＵＥによって受信される各ダウンリンク・ベアラ・パケットについて、ＷＡＰは、ワイファイ・リンクを経由して、関連するＭＡＣ  ＡＣＫをＵＥから受信する（ステップ５１０Ａ）。アップリンク・ベアラ・トラフィックでは、ＷＡＰは、（１）ワイファイ・リンクを経由して、ワイファイ・リンクを経由した１つまたは複数のＵＥからのアップリンク・ベアラ・トラフィックを受信し（ステップ５１０Ｕ）、また（２）ＷＡＰと、ｅノードＢとの間のデータ・リンクを経由してｅノードＢに向かってアップリンク・ベアラ・トラフィックを送信する（ステップ５２０Ｕ）。ＷＡＰのワイファイ・リンクによってサービスされるＵＥのうちのすべてが、それぞれ、それらのＥＵＴＲＡリンクに対してそれらのアップリンク・ベアラ・トラフィックのすべてを選択的に配信している場合には、ＷＡＰは、ＵＥからアップリンク・ベアラ・トラフィックを受信しないことになる（また、それゆえに、本明細書において考察されるように、ＷＡＰのワイファイ・リンクについての競合は、低減されることになり、それによってステップ５１０Ｄおよび５２０Ｄにおける、ＷＡＰからのダウンストリーム・ベアラ・トラフィックの配信についてのスループットを改善している）ことに注意すべきである。ステップ５２０Ｄ、５１０Ａ、および５２０Ｕから、方法５００は、ステップ５９９へと進み、ここで、方法５００は、終了する。明確にする目的のために、図５からは省略されているが、ステップ５２０Ｄにおいて送信されるダウンリンク・トラフィックはまた、ＷＡＰの上のワイファイＭＡＣ  ＡＲＱプロシージャによって示されるように、再送��される必要があるパケットを含むこともできることに注意すべきである。終了として（説明をより明確にする目的のために）示され、また説明されるが、方法５００は、必要に応じて（例えば、トラフィックが受信されるときに、トラフィックが、送信のために使用可能になるときになど）方法５００の様々なステップのうちのどれかを実行するように動作し続けることもできることが、理解されるであろう。
【００４９】
図６は、セルラー方式ネットワークのｅノードＢとトラフィックを交換するＵＥによる使用のための方法についての一実施形態を示すものである。主として、互いに対して相対的な特定の順序で実行されているように示され、また説明されるが、方法６００のステップのうちの少なくとも一部分は、図６に示されるものと異なる順序で、実行され得ることが、理解されるであろう。ステップ６０１において、方法６００は、開始され、また取り扱いのための３つのブランチ、すなわち、それぞれ、ＵＥに対するダウンリンク・ベアラ・トラフィック（ステップ６１０Ｄおよび６２０Ｄ）、ダウンリンク・ベアラ・トラフィックに関連する肯定応答トラフィック（ステップ６１０Ａ）、またはＵＥからのアップリンク・ベアラ・トラフィック（ステップ６１０Ｕおよび６２０Ｕ）のうちの１つへと進む。ダウンリンク・ベアラ・トラフィックでは、ＵＥは、（１）ｅノードＢに対するＥＵＴＲＡリンクを経由して、かつ／またはｅノードＢからダウンリンク・ベアラ・トラフィックのその部分を受信するように構成されているＷＡＰに対するワイファイ・リンクを経由して、ダウンリンク・ベアラ・トラフィックのそれぞれの部分を受信し（ステップ６１０Ｄ）、また（２）ＵＥにおける使用のために（例えば、ＵＥにおけるストレージのために、ＵＥの１つまたは複数のユーザ・インターフェースを経由したプレゼンテーションのためになど）、ダウンリンク・ベアラ・トラフィックのそれらの部分からのダウンリンク・ベアラ・トラフィックを再アセンブリする（６２０Ｄ）。ＵＥによって受信されるダウンリンク・ベアラ・トラフィックに関連する肯定応答トラフィックでは、ＵＥは、ＭＡＣ肯定応答トラフィックと、ＲＬＣ肯定応答トラフィックとを送信する（ステップ６１０Ａ）ように構成されている。ＵＥによって受信される各ダウンリンク・ベアラ・パケットでは、ＵＥは、関連するダウンリンク・ベアラ・パケットが、受信されたリンクを経由して、関連するＭＡＣ  ＡＲＱパケットを送信する。ＥＵＴＲＡリンクを経由して受信されるダウンリンク・ベアラ・トラフィックでは、ＭＡＣレベルＡＲＱは、既存のＥＵＴＲＡプロシージャを使用して、ＵＥからｅノードＢへとＥＵＴＲＡリンクを経由して送信される。ワイファイ・リンクを経由して受信されるダウンリンク・ベアラ・トラフィックでは、ＭＡＣレベルＡＲＱは、ＷＡＰによって送信されるダウンリンク・ベアラ・トラフィックとの競合をもたすことはないＳＩＦＳ間隔に基づいた既存のワイファイ・プロシージャを使用して、ワイファイ・アップリンクを経由して（ＷＡＰを経由したｅノードＢに対する配信のために）ＵＥから送信される。ＥＵＴＲＡリンクと、ワイファイ・リンクとを経由してＵＥによって受信される各ダウンリンク・ベアラ・パケットでは、ＵＥは、ＥＵＴＲＡリンクだけを経由して関連するＲＬＣ  ＡＣＫ／ＮＡＫを送信する。アップリンク・ベアラ・トラフィックでは、ＵＥは、ＵＥの上でアップリンク・ベアラ・トラフィックの１つまたは複数のソース（例えば、１つまたは複数のアプリケーション・クライアント、ＲＬＣ再送信パケットなど）からアップリンク・ベアラ・トラフィックを受信し（ステップ６１０Ｕ）、ま��ＥＵＴＲＡリンクと、ワイファイ・リンクとの間のアップリンク・ベアラ・トラフィック（これは、上記で考察されるように、様々なパラメータと情報とに基づいたものとすることができる）を選択的に配信する。ステップ６２０Ｄ、６２０Ａ、および６２０Ｕから、方法６００は、ステップ６９９へと進み、ここで、方法６００は終了する。終了として（説明をより明確にする目的のために）示され、また説明されるが、方法６００は、必要に応じて（例えば、トラフィックが受信されるときに、トラフィックが、送信のために使用可能になるときになど）方法６００の様々なステップのうちのどれかを実行するように動作し続けることもできることが、理解されるであろう。
【００５０】
少なくともいくつかの実施形態においては、ソースｅノードＢからターゲットｅノードＢへのｅノードＢツーｅノードＢハンドオーバは、ＥＵＴＲＡリンクと、ワイファイ・リンクとの両方によってサービスされるＵＥのためにサポートされることもある。ワイファイ・リンクは、ソースｅノードＢからターゲットｅノードＢへと送信されることもあり、またはソースｅノードＢとのワイファイ・リンクが、終了されることもあり、またターゲットｅノードＢとの新しいワイファイ・リンクが、確立されることもある。少なくともいくつかの実施形態においては、既存のワイファイ・リンクがソースｅノードＢからターゲットｅノードＢへと送信されるべきか、または新しいワイファイ・リンクがターゲットｅノードＢと共に確立されるべきかについての決定は、１つまたは複数のセルラー方式測定情報、ＷＬＡＮ測定情報などに基づいて実行されることもある。
【００５１】
少なくともいくつかの実施形態においては、ソースＷＡＰからターゲットＷＡＰへのＷＡＰツーＷＡＰハンドオーバが、ソースＷＡＰとのＥＵＴＲＡリンクと、ワイファイ・リンクとの両方によってサービスされるＵＥのためにサポートされることもある。ハンドオーバが、同じ拡張されたサービス・セット（ＥＳＳ：Ｅｘｔｅｎｄｅｄ  Ｓｅｒｖｉｃｅ  Ｓｅｔ）の内部にある場合、その場合には、ハンドオーバは、ＥＵＴＲＡリンクを提供するｅノードＢに対してトランスペアレントとすることができる（例えば、トランスペアレント性は、配信サービス（ＤＳ：Ｄｉｓｔｒｉｂｕｔｉｏｎ  Ｓｅｒｖｉｃｅ）によって提供されることもある）。ハンドオーバが、ｅノードＢに対してトランスペアレントではない場合、ｅノードＢは、ｅノードＢがＵＥのためにターゲットＷＡＰに対するワイファイ・リンクをサポートすることができるように、ターゲットＷＡＰについてのＷＬＡＮ情報を用いてアップデートされる。
【００５２】
少なくともいくつかの実施形態においては、ＷＡＰに現在、関連しているＵＥは、ＬＴＥシステムの検出のすぐ後に、ＬＴＥシステムとの接続（例えば、ＬＴＥシステムのｅノードＢとのＥＵＴＲＡリンク）を確立することができ、また次いで、ＷＡＰからＬＴＥシステムへと、少なくとも一部分の（また、いくつかの場合には、すべての）アップリンク・ベアラ・トラフィックをオフロードすることができる。これは、ＵＥのアップリンク・ベアラ・トラフィックが、ＬＴＥシステムの逆方向リンクの上で使用可能なスケジュールされたアクセスに基づいて送信されることを可能にしながら、ＷＡＰの上の競合を低減させることになる（それによって、ＵＥに対するダウンリンク・ベアラ・トラフィックの配信についてのダウンリンク・スループットを改善している）。少なくともいくつかの実施形態においては、ＵＥのダウンリンク・ベアラ・トラフィックの少なくとも一部分はまた、ＷＡＰからＬＴＥシステムへとオフロードされることもある。
【００５３】
主として、１人のユーザ（実例としてＵＥ１３０）に関して、示され、また説明されるが、セルラー方式−ＷＬＡＮ統合能力の実施形態は、与えられたｅノードＢに関連するユーザの一部またはすべてのために提供され得ることが、理解されるであろう。
【００５４】
主として、特定のタイプのセルラー方式ネットワーク（実例としては、ＬＴＥネットワーク）が、特定のタイプのローカル・ワイヤレス（非セルラー方式）技術（実例としてワイファイ）と統合されるセルラー方式−ＷＬＡＮ統合能力の実施形態に関して示され、また説明されるが、セルラー方式−ＷＬＡＮ統合能力の実施形態を使用して、他のタイプのセルラー方式ネットワーク（例えば、ＵＭＴＳ、ＧＰＲＳなど）または他のタイプのローカル・ワイヤレス技術を統合することができることが、理解されるであろう。それに応じて、ＬＴＥ特有の要素に対する本明細書における参照は、より一般的に読まれる可能性があり、また同様に、ワイファイ特有の要素に対する本明細書における参照は、より一般的に読まれる可能性がある。例えば、ＬＴＥネットワークと、ｅノードＢと、ＥＵＴＲＡインターフェース／リンクと、ＵＥとに対する本明細書における参照は、セルラー方式ネットワークと、セルラー方式アクセス要素／ポイント／ノードと、セルラー方式インターフェース／リンクと、ユーザ・デバイス／端末として、それぞれ、より一般的に読まれ得る。同様に、ワイファイ・アクセス・ポイントに対する本明細書における参照は、ＷＬＡＮアクセス・ポイントまたはローカル・ワイヤレス・アクセス・ポイントとして、より一般的に読まれ得る。
【００５５】
セルラー方式−ＷＬＡＮ統合能力の様々な実施形態は、結果として生ずるシステムにおいて様々な改善を提供する傾向があるやり方で、統合をサポートする。セルラー方式−ＷＬＡＮ統合能力の様々な実施形態は、システムのスペクトル効率を増大させ（また、少なくともいくつかの場合において、最大にし）、またシステムの配信可能なスループットを増大させるためのやり方で、統合をサポートする。セルラー方式−ＷＬＡＮ統合能力の様々な実施形態は、システムのユーザが、彼らのユーザ体感品質を改善するやり方で、リソースが割り付けられるように、統合をサポートする。セルラー方式−ＷＬＡＮ統合能力の様々な実施形態についての様々な他の改善および利点が企図されており、また本明細書における教示を考慮して理解されるであろう。
【００５６】
主として、セルラー方式ネットワークと、ＷＬＡＮネットワークとの統合が、セルラー方式ネットワークのセルラー方式アクセス・ノード（例えば、ｅノードＢ）と、ＷＬＡＮネットワークのＷＬＡＮアクセス・ポイント（例えば、ワイファイＡＰ）との間の通信経路を経由して行われる実施形態との関連で本明細書において示され、また説明されるが、本明細書において示され、また説明される様々な実施形態は、セルラー方式ネットワークと、ＷＬＡＮネットワークとが、セルラー方式ネットワークのセルラー方式アクセス・ノードと、ＷＬＡＮネットワークのＷＬＡＮアクセス・ポイント（例えば、ワイファイＡＰ）との間の通信経路を経由して統合されないときに使用されることもあることが、理解されるであろう。少なくともいくつかの実施形態においては、例えば、セルラー方式リンクが使用可能であるという決定に基づいて、ＷＡＰに対するＷＬＡＮリンクを経由して通信するＵＥは、ＷＬＡＮリンクからセルラー方式リンクへのそのアップリンク・ベアラ・トラフィックの一部または全部を選択的に切り替えることができる。アップリンク・ベアラ・トラフィックは、今や、競合ベースのＷＬＡＮリンクではなくてスケジュールされたセルラー方式リンクの上で送信されるので、これは、ワイファイ・リンクの性能を（ワイファイ・リンクについての競合における、結果として起こる低減に起因して）改善し、またＵＥのユーザについてのよりよいアップリンク・ユーザ体感を提供する効果を有することに注意すべきである。
【００５７】
主として、特定のタイプのセルラー方式技術が使用される実施形態に関して、示され、また説明されるが、本明細書において示され、また説明される様々な実施形態は、他のタイプのセルラー方式技術または他のタイプのワイヤレス技術（例えば、広域カバレッジを提供するワイヤレス技術、ワイヤレス・リソースに対するスケジュールされた、競合解消のアクセスを提供するワイヤレス技術など、ならびにその様々な組合せ）と共に使用されることもあることが、理解されるであろう。
【００５８】
主として、ワイファイ技術が使用される実施形態に関して、示され、また説明されるが、本明細書において示され、また説明される様々な実施形態は、共通のワイヤレス媒体に対するアクセスのための洗練されたアクセス・メカニズムをサポートする他のタイプのワイヤレス技術と共に使用されることもあることが、理解されるであろう。
【００５９】
図７は、本明細書において説明される機能を実行する際に使用するために適しているコンピュータのハイレベル・ブロック図を示すものである。
【００６０】
コンピュータ７００は、プロセッサ７０２（例えば、中央演算処理装置（ＣＰＵ：ｃｅｎｔｒａｌ  ｐｒｏｃｅｓｓｉｎｇ  ｕｎｉｔ）および／または他の適切なプロセッサ（単数または複数））と、メモリ７０４（例えば、ランダム・アクセス・メモリ（ＲＡＭ：ｒａｎｄｏｍ  ａｃｃｅｓｓ  ｍｅｍｏｒｙ）、リード・オンリー・メモリ（ＲＯＭ：ｒｅａｄ  ｏｎｌｙ  ｍｅｍｏｒｙ）など）とを含む。
【００６１】
コンピュータ７００はまた、協調モジュール／プロセス７０５を含むこともできる。協調プロセス７０５は、メモリ７０４へとロードされ、またプロセッサ７０２によって実行されて、本明細書において考察されるような機能を実施することができ、また、このようにして、協調プロセス７０５（関連するデータ構造を含む）は、コンピュータ読み取り可能ストレージ媒体の上に、例えば、ＲＡＭメモリ、磁気ドライブ、光学的ドライブ、ディスク、フロッピーディスクなどの上に記憶され得る。
【００６２】
コンピュータ７００はまた、１つまたは複数の入出力デバイス５０６（例えば、ユーザ入力デバイス（キーボード、キーパッド、マウスなど）、ユーザ出力デバイス（ディスプレイ、スピーカなど）、入力ポート、出力ポート、レシーバ、トランスミッタ、１つまたは複数のストレージ・デバイス（例えば、テープ・ドライブ、フロッピー・ドライブ、ハード・ディスク・ドライブ、コンパクト・ディスク・ドライブなど）など、ならびにその様々な組合せ）を含むこともできる。
【００６３】
図７に示されるコンピュータ７００は、本明細書において説明される機能要素および／または本明細書において説明される機能要素の一部分を実施するために適した一般的なアーキテクチャと、機能とを提供することが理解されるであろう。例えば、コンピュータ７００は、１つまたは複数のｅノードＢ１１１、ｅノードＢ１１１の一部分、ＷＡＰ１２０、ＷＡＰ１２０の一部分、ＵＥ１３０、ＵＥ１３０の一部分などを実施するために適した一般的なアーキテクチャと機能とを提供している。
【００６４】
本明細書において示され、また説明される機能は、ソフトウェアの形で（例えば、１つまたは複数のプロセッサの上のソフトウェアの実施を経由して、専用コンピュータを実施するために汎用コンピュータ（例えば、１つまたは複数のプロセッサによる実行を経由して）の上で実行するためになど）実施される可能性があり、かつ／またはハードウェアの形で（例えば、汎用コンピュータ、１つまたは複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔｓ）、あるいは任意の他のハードウェア同等形態を使用して）実施される可能性があることが、理解されるであろう。
【００６５】
ソフトウェアの方法として本明細書において考察されるステップのうちのいくつかは、ハードウェアの内部で、例えば、様々な方法ステップを実行するためにプロセッサと協調する回路として、実施され得ることが、理解されるであろう。本明細書において説明される機能／要素のうちの一部分は、コンピュータ・プログラム製品として実施されることもあり、そこでは、コンピュータ命令は、コンピュータによって処理されるときに、本明細書において説明される方法および／または技法が、呼び出され、またはその他の方法で提供されるように、コンピュータのオペレーションを適応させる。本発明の方法を呼び出すための命令は、固定媒体または着脱可能媒体に記憶され、ブロードキャスト媒体または他の信号保持媒体においてデータ・ストリームを経由して送信され、かつ／または命令に従って動作するコンピューティング・デバイスの内部のメモリの内部に記憶されることもある。
【００６６】
本明細書において使用されるような用語「論理和（ｏｒ）」は、その他の方法（例えば、「排他的論理和（ｏｒ  ｅｌｓｅ）」または「代替案における論理和（ｏｒ  ｉｎ  ｔｈｅ  ａｌｔｅｒｎａｔｉｖｅ）」の使用）で示されていない限り、非排他的（ｎｏｎ−ｅｘｃｌｕｓｉｖｅ）「論理和（ｏｒ）」のことを意味していることが、理解されるであろう。
【００６７】
様々な実施形態の態様は、特許請求の範囲の中で指定される。様々な実施形態のこれらの態様および他の態様は、以下の番号が付けられた条項の形で指定される。
［条項１］
セルラー方式リンクを経由した通信のために構成されたインターフェースと、
競合ベースのワイヤレス・リンクを経由した通信のために構成されたインターフェースと、
プロセッサと、
を備え、前記プロセッサは、
前記セルラー方式リンクを経由した通信のために構成された前記インターフェース、または前記競合ベースのワイヤレス・リンクを経由した通信のために構成された前記インターフェースのうちの少なくとも一方を経由してダウンリンク・ベアラ・トラフィックを受信し、
前記セルラー方式リンクを経由した通信のために構成された前記インターフェースと、前記競合ベースのワイヤレス・リンクを経由した通信のために構成された前記インターフェースとの間でアップリンク・ベアラ・トラフィックを選択的に配信する
ように構成されている、ユーザ・デバイス。
［条項２］
前記プロセッサは、
前記セルラー方式リンクを経由した通信のために構成された前記インターフェースと、前記競合ベースのワイヤレス・リンクを経由した通信のために構成された前記インターフェースとを経由して受信されるダウンリンク・ベアラ・トラフィックを結合する
ように構成されている、条項１に記載のユーザ・デバイス。
［条項３］
前記プロセッサは、
ＷＬＡＮアクセス・ポイントに関連するステータス情報、
セルラー方式ネットワーク・アクセス・ポイントに関連するステータス情報、
前記ユーザ・デバイスにおけるアップリンク・ベアラ・トラフィックの強度、または
前記ユーザ・デバイスによる要求、およびセルラー方式ネットワーク・アクセス・ポイントが関連づけられる無線アクセス・ネットワークによる関連する認可、
のうちの少なくとも１つに基づいて、アップリンク・ベアラ・トラフィックを選択的に配信するように構成されている、条項１に記載のユーザ・デバイス。
［条項４］
前記プロセッサは、
前記セルラー方式リンクを経由した通信のために構成された前記インターフェースに対して前記アップリンク・ベアラ・トラフィックの第１の部分を配信し、
前記競合ベースのワイヤレス・リンクを経由した通信のために構成された前記インターフェースに対して前記アップリンク・ベアラ・トラフィックの第２の部分を配信する
ように構成されている、条項１に記載のユーザ・デバイス。
［条項５］
前記プロセッサは、
前記セルラー方式リンクを経由した通信のために構成された前記インターフェースに対して前記アップリンク・ベアラ・トラフィックのすべてを配信する
ように構成されている、条項１に記載のユーザ・デバイス。
［条項６］
前記プロセッサは、
前記セルラー方式リンクを経由した通信のために構成された前記インターフェースを経由して受信されるダウンリンク・ベアラ・トラフィックと、前記競合ベースのワイヤレス・リンクを経由した通信のために構成された前記インターフェースを経由して受信されるダウンリンク・ベアラ・トラフィックとに対応する無線リンク制御（ＲＬＣ）レイヤ肯定応答トラフィックを、前記セルラー方式リンクを経由した通信のために構成された前記インターフェースだけを経由して送信する
ように構成されている、条項１に記載のユーザ・デバイス。
［条項７］
前記プロセッサは、
前記セルラー方式リンクを経由した通信のために構成された前記インターフェースを経由して受信されるダウンリンク・トラフィックに対応する媒体アクセス制御（ＭＡＣ）レイヤ肯定応答トラフィックを、前記セルラー方式リンクを経由した通信のために構成された前記インターフェースだけを経由して送信する
ように構成されている、条項１に記載のユーザ・デバイス。
［条項８］
前記プロセッサは、
前記競合ベースのワイヤレス・リンクを経由した通信のために構成された前記インターフェースを経由して受信されるダウンリンク・トラフィックに対応するＭＡＣレイヤ肯定応答トラフィックを、前記競合ベースのワイヤレス・リンクを経由した通信のために構成された前記インターフェースだけを経由して送信する
ように構成されている、条項１に記載のユーザ・デバイス。
［条項９］
セルラー方式リンクを経由したセルラー方式通信のために構成されたインターフェースと、
ワイヤレス・ローカル・エリア・ネットワーク（ＷＬＡＮ）アクセス・ポイント（ＷＡＰ）との通信のために構成されたインターフェースと、
プロセッサと、
を備え、前記プロセッサは、
エンド・ユーザ・デバイスに対する配信を対象としたダウンリンク・ベアラ・トラフィックを受信し、前記セルラー方式リンクを経由したセルラー方式通信のために構成された前記インターフェースと、前記ＷＡＰとの通信のために構成された前記インターフェースとの間の前記ダウンリンク・ベアラ・トラフィックを選択的に配信し、
前記セルラー方式リンクを経由したセルラー方式通信のために構成された前記インターフェースと、前記ＷＡＰとの通信のために構成された前記インターフェースとのうちの少なくとも一方を経由して前記エンド・ユーザ・デバイスからアップリンク・ベアラ・トラフィックを受信する
ように構成されている、セルラー方式ネットワーク・アクセス・ポイント。
［条項１０］
前記プロセッサは、
前記ＷＡＰに関連するステータス情報、または前記セルラー方式ネットワーク・アクセス・ポイントに関連するステータス情報のうちの少なくとも一方に基づいて、前記エンド・ユーザ・デバイスに対する配信を対象とした前記ダウンリンク・ベアラ・トラフィックを配信する
ように構成されている、条項９に記載のセルラー方式ネットワーク・アクセス・ポイント。
［条項１１］
前記プロセッサは、
前記セルラー方式リンクを経由したセルラー方式通信のために構成された前記インターフェースだけを経由して前記エンド・ユーザ・デバイスからアップリンク・ベアラ・トラフィックを受信しながら、前記ＷＡＰとの通信のために構成された前記インターフェースだけに対して前記エンド・ユーザ・デバイスに対する配信を対象とした前記ダウンリンク・ベアラ・トラフィックを配信する
ように構成されている、条項９に記載のセルラー方式ネットワーク・アクセス・ポイント。
［条項１２］
前記プロセッサは、
前記ＷＡＰとの通信のために構成された前記インターフェースと、前記セルラー方式リンクを経由したセルラー方式通信のために構成された前記インターフェースとの間での前記エンド・ユーザ・デバイスのアップリンク・ベアラ・トラフィックの転送についての表示に基づいて、前記セルラー方式ネットワーク・アクセス・ポイントの少なくとも１つのパラメータを調整する
ように構成されている、条項９に記載のセルラー方式ネットワーク・アクセス・ポイント。
［条項１３］
前記少なくとも１つのパラメータは、前記セルラー方式リンクの順方向リンク・リソースと、前記セルラー方式リンクの逆方向リンク・リソースとの間の比率を含む、条項１２に記載のセルラー方式ネットワーク・アクセス・ポイント。
［条項１４］
前記プロセッサは、
前記セルラー方式リンクを経由したセルラー方式通信のために構成された前記インターフェースを経由して送信されるダウンリンク・トラフィックと、前記ＷＡＰとの通信のために構成された前記インターフェースを経由して送信されるダウンリンク・ベアラ・トラフィックとに対応する無線リンク制御（ＲＬＣ）レイヤ肯定応答トラフィックを、前記セルラー方式リンクを経由したセルラー方式通信のために構成された前記インターフェースだけを経由して受信する
ように構成されている、条項９に記載のセルラー方式ネットワーク・アクセス・ポイント。
［条項１５］
セルラー方式ネットワーク・アクセス・ポイントとの通信のために構成されたインターフェースと、
競合ベースのワイヤレス・リンクを経由した、エンド・ユーザ・デバイスとのワイヤレス通信のために構成されたインターフェースと、
プロセッサと、
を備え、前記プロセッサは、
前記セルラー方式ネットワーク・アクセス・ポイントとの通信のために構成された前記インターフェースを経由して前記セルラー方式ネットワーク・アクセス・ポイントから、前記エンド・ユーザ・デバイスのうちの１つまたは複数を対象としたダウンリンク・ベアラ・トラフィックを受信し、
前記競合ベースのワイヤレス・リンクを経由した、エンド・ユーザ・デバイスとのワイヤレス通信のために構成された前記インターフェースを経由して前記１つまたは複数のエンド・ユーザ・デバイスに向かって前記ダウンリンク・ベアラ・トラフィックを送信する
ように構成されている、ワイヤレス・ローカル・エリア・ネットワーク（ＷＬＡＮ）アクセス・ポイント（ＷＡＰ）。
［条項１６］
前記プロセッサは、
前記競合ベースのワイヤレス・リンクを経由した、エンド・ユーザ・デバイスとのワイヤレス通信のために構成された前記インターフェースを経由して前記エンド・ユーザ・デバイスのうちの１つからアップリンク・ベアラ・トラフィックを受信し、
前記セルラー方式ネットワーク・アクセス・ポイントとの通信のために構成された前記インターフェースを経由して前記セルラー方式ネットワーク・アクセス・ポイントに向かって前記アップリンク・ベアラ・トラフィックを送信する
ように構成されている、条項１５に記載のＷＡＰ。
［条項１７］
前記プロセッサは、
前記セルラー方式ネットワーク・アクセス・ポイントに関連するセルラー方式リンクを経由した、前記エンド・ユーザ・デバイスのうちの１つまたは複数によるアップリンク送信における変化についての表示に基づいて、前記ＷＡＰの少なくとも１つのパラメータを調整する
ように構成されている、条項１５に記載のＷＡＰ。
［条項１８］
前記プロセッサは、
前記セルラー方式ネットワーク・アクセス・ポイントに関連するセルラー方式リンクを経由した、前記エンド・ユーザ・デバイスのうちの１つまたは複数によるアップリンク送信の量における増大についての表示に基づいて、前記ＷＡＰの少なくとも１つの競合ウィンドウ（ＣＷ）パラメータを減少させる
ように構成されている、条項１７に記載のＷＡＰ。
［条項１９］
前記プロセッサは、
前記セルラー方式ネットワーク・アクセス・ポイントに関連するセルラー方式リンクを経由した、前記エンド・ユーザ・デバイスのうちの１つまたは複数によるアップリンク送信の量における減少についての表示に基づいて、前記ＷＡＰの少なくとも１つの競合ウィンドウ（ＣＷ）パラメータを増大させる
ように構成されている、条項１７に記載のＷＡＰ。
［条項２０］
前記プロセッサは、
前記ＷＡＰに関連する前記エンド・ユーザ・デバイスのうちのそれぞれが、前記セルラー方式ネットワーク・アクセス・ポイントとのそれぞれのセルラー方式リンクに対してそのそれぞれのアップリンク・ベアラ・トラフィックのすべての送信を転送しているという決定に基づいて、
前記エンド・ユーザ・デバイスからの競合のない前記競合ベースのワイヤレス・リンクを経由した、エンド・ユーザ・デバイスとのワイヤレス通信のために構成された前記インターフェースを経由して前記ダウンリンク・ベアラ・トラフィックのスケジュールされた送信を実行する
ように構成されている、条項１５に記載のＷＡＰ。
【００６８】
本明細書において提示される教示を組み込んでいる様々な実施形態が、本明細書において詳細に示され、また説明されているが、当業者なら、これらの教示を依然として組み込んでいる多数の他の変更された実施形態を簡単に考案することができることが、理解されるであろう。
【図１】
2016541156.tif 000003
【図２Ａ】
2016541156.tif 000004
【図２Ｂ】
2016541156.tif 000005
【図３】
2016541156.tif 000006
【図４】
2016541156.tif 000007
【図５】
2016541156.tif 000008
【図６】
2016541156.tif 000009
【図７】
2016541156.tif 000010
【国際調査報告】
2016541156.tif 000011
2016541156.tif 000012
2016541156.tif 000013